(57)【特許請求の範囲】
【請求項１】
ダウンリンクパラメータを決定するための装置であって、
ユーザ機器ＵＥによって報告されるカテゴリ情報及び変調情報を受信するように構成された受信機であり、ここにおいて、前記カテゴリ情報は、前記ＵＥのＵＥカテゴリを含み、かつ、前記変調情報は、前記ＵＥによってサポートされる最高次変調方式を含む、受信機と、
前記ＵＥのダウンリンクパラメータとして、前記ＵＥの前記ＵＥカテゴリ及び前記ＵＥによってサポートされる前記最高次変調方式に対応するダウンリンクパラメータを決定するように構成されたプロセッサであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、プロセッサと、
を備える装置。
【請求項２】
前記変調情報は、
前記ＵＥによってサポートされる前記最高次変調方式が、ターゲット変調方式であるかどうかを表すために使用される情報、及び、ダウンリンク変調方式の最高次変調次数のうちの少なくとも１つを含み、ここにおいて、前記ターゲット変調方式は、２５６直交振幅変調ＱＡＭ又は次数が６４ＱＡＭよりも高い変調方式を含む、請求項１に記載の装置。
【請求項３】
前記受信機は、前記ＵＥによって報告され、かつ、前記ＵＥによってサポートされている、ダウンリンクにおける空間多重化のための層の最大数を表すために使用される、層数情報を受信するようにさらに構成され、かつ、
前記プロセッサは、前記ＵＥのダウンリンクパラメータとして、前記ＵＥのパラメータであり、かつ、前記ＵＥの前記ＵＥカテゴリに対応するダウンリンクパラメータ、前記ＵＥによってサポートされる前記最高次変調方式、及び前記ＵＥによってサポートされる、ダウンリンクにおける空間多重化のための層の前記最大数を決定するように構成され、ここにおいて、前記ＵＥの前記ダウンリンクパラメータは、前記ＵＥのＵＥカテゴリ、前記ＵＥによってサポートされる最高次変調方式、及び、前記ＵＥによってサポートされる、ダウンリンクにおける空間多重化のための層の最大数、さらには、前記ＵＥの前記ＵＥカテゴリ、前記ＵＥによってサポートされる前記最高次変調方式、及び前記ＵＥによってサポートされる、ダウンリンクにおける空間多重化のための層の前記最大数、から前記ＵＥのダウンリンクパラメータへの対応関係に従って決定される、
請求項１又は２に記載の装置。
【請求項４】
前記ダウンリンクパラメータは、
１つの送信時間間隔ＴＴＩ内に前記ＵＥによって受信され得るビットの最大数であり、ここにおいて、ビットの数は、ダウンリンク共有チャネルＤＬ−ＳＣＨトランスポートブロックで送信されるデータのビットの数である、ビットの最大数、
１つのＤＬ−ＳＣＨトランスポートブロックで送信されるデータの、１つのＴＴＩ内に前記ＵＥによって受信され得る、ビットの最大数、
ソフトチャネル上で送信されるデータのビットの最大数、及び、
前記ＵＥによって受信され得るリソースブロックＲＢの最大数、
のうちの少なくとも１つを含む、
請求項１から３のいずれか一項に記載の装置。
【請求項５】
前記プロセッサは、前記ＵＥの前記ＵＥカテゴリ、ダウンリンク送信モード、及び、ソフトチャネル上で送信されるデータのビットの前記最大数に従って前記ＤＬ−ＳＣＨトランスポートブロックのソフトバッファサイズを計算するようにさらに構成され、ここにおいて、前記ダウンリンク送信モードは、前記ＵＥによるダウンリンク送信が実行される送信モードを含む、
請求項４に記載の装置。
【請求項６】
前記受信機は、前記ＵＥによって報告される、ターゲット変調方式がダウンリンク送信において使用されるときに前記ＵＥによって受信され得るＲＢの、最大数を受信するようにさらに構成され、かつ、
前記プロセッサは、前記ＵＥによってサポートされる前記最高次変調方式とＲＢの前記受信された最大数とに従って、前記ＵＥに割り振られたＲＢの数を決定し、それにより、前記ＵＥに割り振られるＲＢの前記数が前記受信された最大ＲＢ以下である、ようにさらに構成される、
請求項４に記載の装置。
【請求項７】
前記装置は、送信機をさらに備え、ここにおいて、
前記送信機は、第１の構成情報及び第２の構成情報を前記ＵＥに送信するように構成され、ここにおいて、前記第１の構成情報は、ダウンリンク送信モードを指示するために使用され、かつ、前記第２の構成情報は、ダウンリンク送信が前記ＵＥにより実行されるときにターゲット変調方式がサポートされているかどうかを指示するために使用され、それにより、前記ＵＥは、前記ＵＥの前記ＵＥカテゴリ、前記ダウンリンク送信モード、ソフトチャネル上で送信されるデータのビットの前記最大数、及び、ダウンリンク送信が前記ＵＥにより実行されるときに前記ターゲット変調方式がサポートされているかどうかに従って前記ＤＬ−ＳＣＨトランスポートブロックのソフトバッファサイズを計算する、
請求項４から６のいずれか一項に記載の装置。
【請求項８】
ダウンリンクパラメータを決定するための装置であって、
ユーザ機器ＵＥのカテゴリ情報及び変調情報を取得するように構成されたプロセッサであり、
ここにおいて、前記カテゴリ情報は、前記ＵＥのＵＥカテゴリを含み、かつ、前記変調情報は、前記ＵＥによってサポートされる最高次変調方式を含み、
ここにおいて、前記プロセッサは、前記ＵＥのダウンリンクパラメータとして、前記ＵＥの前記ＵＥカテゴリ及び前記ＵＥによってサポートされる前記最高次変調方式に対応するダウンリンクパラメータを決定するように構成され、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、
プロセッサ、を備える装置。
【請求項９】
前記装置は、送信機をさらに備え、ここにおいて、
前記送信機は、前記カテゴリ情報及び前記変調情報を基地局に報告し、それにより前記基地局は、前記ＵＥのダウンリンクパラメータとして、前記ＵＥの前記ＵＥカテゴリ及び前記ＵＥによってサポートされる前記最高次変調方式に対応するダウンリンクパラメータを決定する、ように構成され、
ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への前記対応関係に従って決定される、
請求項８に記載の装置。
【請求項１０】
前記変調情報は、
前記ＵＥによってサポートされる前記最高次変調方式が、ターゲット変調方式であるかどうかを表すために使用される情報、及び、ダウンリンク変調方式の最高次変調次数のうちの少なくとも１つを含み、
ここにおいて、前記ターゲット変調方式は、２５６直交振幅変調ＱＡＭ又は次数が６４ＱＡＭよりも高い変調方式を含む、
請求項８又は９に記載の装置。
【請求項１１】
前記プロセッサは、前記ＵＥのダウンリンクパラメータとして、前記ＵＥのパラメータであり、かつ、前記ＵＥの前記ＵＥカテゴリに対応するダウンリンクパラメータ、前記ＵＥによってサポートされる前記最高次変調方式、及び、前記ＵＥによってサポートされる、ダウンリンクにおける空間多重化のための層の最大数を決定するようにさらに構成され、
ここにおいて、前記ＵＥの前記ダウンリンクパラメータは、前記ＵＥのＵＥカテゴリ、前記ＵＥによってサポートされる最高次変調方式、及び、前記ＵＥによってサポートされる、ダウンリンクにおける空間多重化のための層の最大数から前記ＵＥのダウンリンクパラメータさらには前記ＵＥの前記ＵＥカテゴリ、前記ＵＥによってサポートされる前記最高次変調方式、及び、前記ＵＥによってサポートされる、ダウンリンクにおける空間多重化のための層の前記最大数への対応関係に従って決定される、
請求項８から１０いずれか一項に記載の装置。
【請求項１２】
前記ダウンリンクパラメータは、
１つの送信時間間隔ＴＴＩ内に前記ＵＥによって受信され得るビットの最大数であり、ここにおいて、ビットの数は、
ダウンリンク共有チャネルＤＬ−ＳＣＨトランスポートブロックで送信されるデータのビットの数である、ビットの最大数、
１つのＤＬ−ＳＣＨトランスポートブロックで送信されるデータの、１つのＴＴＩ内に前記ＵＥによって受信され得る、ビットの最大数、
ソフトチャネル上で送信されるデータのビットの最大数、及び、
前記ＵＥによって受信され得るリソースブロックＲＢの最大数、
のうちの少なくとも１つを含む、
請求項８から１１のいずれか一項に記載の装置。
【請求項１３】
前記装置は、受信機をさらに備え、ここにおいて、
前記受信機は、前記基地局によって送信された第１の構成情報及び第２の構成情報を受信するように構成され、ここにおいて、前記第１の構成情報は、ダウンリンク送信モードを指示するために使用され、かつ、前記第２の構成情報は、ダウンリンク送信が前記ＵＥにより実行されるときにターゲット変調方式がサポートされているかどうかを指示するために使用され、かつ、
前記プロセッサは、前記ＵＥの前記ＵＥカテゴリ、前記ダウンリンク送信モード、ソフトチャネル上で送信されるデータのビットの前記最大数、及び、ダウンリンク送信が前記ＵＥにより実行されるときに前記ターゲット変調方式がサポートされているかどうかに従って前記ＤＬ−ＳＣＨトランスポートブロックのソフトバッファサイズを計算するように構成され、ここにおいて、前記ダウンリンク送信モードは、前記基地局及び前記ＵＥがダウンリンク送信を実行する送信モードを含み、かつ、前記ターゲット変調方式は、２５６直交振幅変調ＱＡＭ又は次数が６４ＱＡＭよりも高い変調方式を含む、
請求項１２に記載の装置。
【請求項１４】
ダウンリンクパラメータを決定するための方法であって、
ユーザ機器ＵＥによって報告されるカテゴリ情報及び変調情報を受信するステップであり、ここにおいて、前記カテゴリ情報は、前記ＵＥのＵＥカテゴリを含み、かつ、前記変調情報は、前記ＵＥによってサポートされる最高次変調方式を含む、ステップと、
前記ＵＥのダウンリンクパラメータとして、前記ＵＥの前記ＵＥカテゴリ及び前記ＵＥによってサポートされる前記最高次変調方式に対応するダウンリンクパラメータを決定するステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、ステップと、
を含む方法。
【請求項１５】
前記変調情報は、
前記ＵＥによってサポートされる前記最高次変調方式が、ターゲット変調方式であるかどうかを表すために使用される情報、及び、ダウンリンク変調方式の最高次変調次数のうちの少なくとも１つを含み、ここにおいて、前記ターゲット変調方式は、２５６直交振幅変調ＱＡＭ又は次数が６４ＱＡＭよりも高い変調方式を含む、
請求項１４に記載の方法。
【請求項１６】
前記ＵＥのダウンリンクパラメータとして、前記ＵＥの前記ＵＥカテゴリ及び前記ＵＥによってサポートされる前記最高次変調方式に対応するダウンリンクパラメータを決定する前記ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、ステップの以前に、
前記方法は、
前記ＵＥによって報告され、かつ、前記ＵＥによってサポートされている、ダウンリンクにおける空間多重化のための層の最大数を表すために使用される、層数情報を受信するステップ、をさらに含み、かつ、
前記ＵＥのダウンリンクパラメータとして、前記ＵＥの前記ＵＥカテゴリ及び前記ＵＥによってサポートされる前記最高次変調方式に対応するダウンリンクパラメータを決定する前記ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、前記ステップは、
前記ＵＥのダウンリンクパラメータとして、前記ＵＥのパラメータであり、及び、前記ＵＥの前記ＵＥカテゴリに対応するダウンリンクパラメータ、前記ＵＥによってサポートされる前記最高次変調方式、及び、前記ＵＥによってサポートされる、ダウンリンクにおける空間多重化のための層の前記最大数を決定するステップであって、ここにおいて、前記ＵＥの前記ダウンリンクパラメータは、前記ＵＥのＵＥカテゴリ、前記ＵＥによってサポートされる最高次変調方式、及び、前記ＵＥによってサポートされる、ダウンリンクにおける空間多重化のための層の最大数、さらには、前記ＵＥの前記ＵＥカテゴリ、前記ＵＥによってサポートされる前記最高次変調方式、及び、前記ＵＥによってサポートされる、ダウンリンクにおける空間多重化のための層の前記最大数、から前記ＵＥのダウンリンクパラメータへの対応関係に従って決定される、ステップを含む、
請求項１４又は１５に記載の方法。
【請求項１７】
前記ダウンリンクパラメータは、
１つの送信時間間隔ＴＴＩ内に前記ＵＥによって受信され得るビットの最大数であり、ここにおいて、ビットの数は、
ダウンリンク共有チャネルＤＬ−ＳＣＨトランスポートブロックで送信されるデータのビットの数である、ビットの最大数、
１つのＤＬ−ＳＣＨトランスポートブロックで送信されるデータの、１つのＴＴＩ内に前記ＵＥによって受信され得る、ビットの最大数、
ソフトチャネル上で送信されるデータのビットの最大数、及び、
前記ＵＥによって受信され得るリソースブロックＲＢの最大数、
のうちの少なくとも１つを含む、
請求項１４から１６のいずれか一項に記載の方法。
【請求項１８】
前記ＵＥのダウンリンクパラメータとして、前記ＵＥの前記ＵＥカテゴリ及び前記ＵＥによってサポートされる前記最高次変調方式に対応するダウンリンクパラメータを決定する前記ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、ステップの以降に、
前記方法は、
前記ＵＥの前記ＵＥカテゴリ、ダウンリンク送信モード、及び、ソフトチャネル上で送信されるデータのビットの前記最大数に従って前記ＤＬ−ＳＣＨトランスポートブロックのソフトバッファサイズを計算するステップであり、ここにおいて、前記ダウンリンク送信モードは、前記ＵＥによるダウンリンク送信が実行される送信モードを含む、ステップを、さらに含む、
請求項１７に記載の方法。
【請求項１９】
前記ＵＥの前記ＵＥカテゴリ、ダウンリンク送信モード、及び、ソフトチャネル上で送信されるデータのビットの前記最大数に従って前記ＤＬ−ＳＣＨトランスポートブロックのソフトバッファサイズを計算する前記ステップは、
式
【数２５】
0006314238.tif 000046
を使用することによって前記ＤＬ−ＳＣＨトランスポートブロックの前記ソフトバッファサイズを計算するステップであり、
ここにおいて、ＮＩＲは、前記ＤＬ−ＳＣＨトランスポートブロックの前記ソフトバッファサイズを表し、Ｎｓｏｆｔは、前記ＵＥの前記ＵＥカテゴリ及び前記ダウンリンク送信モードに従って、ソフトチャネル上で送信されるデータのビットの前記最大数から決定されるソフトチャネルビットの数であり、ＫＣは、正実数であり、ＫＭＩＭＯは、１から２の値範囲内の自然数であり、ＭＤＬ＿ＨＡＲＱは、最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは、事前定義された正実数であり、及び、ｍｉｎ（ＭＤＬ＿ＨＡＲＱ，Ｍｌｉｍｉｔ）は、ＭＤＬ＿ＨＡＲＱとＭｌｉｍｉｔのうちの小さい方の値を取ることを表す、ステップ、
もしくは、
式
【数２６】
0006314238.tif 000047
を使用することによって前記ＤＬ−ＳＣＨトランスポートブロックの前記ソフトバッファサイズを計算するステップであり、
ここにおいて、ＮＩＲは、前記ＤＬ−ＳＣＨトランスポートブロックの前記ソフトバッファサイズを表し、Ｎｓｏｆｔは、前記ＵＥの前記ＵＥカテゴリ及び前記ダウンリンク送信モードに従って、ソフトチャネル上で送信されるデータのビットの前記最大数から決定されるソフトチャネルビットの数であり、αは、事前定義された正実数であり、ＫＣは、正実数であり、ＫＭＩＭＯは、１から２の値範囲内の自然数であり、ＭＤＬ＿ＨＡＲＱは、最大ダウンリンクＨＡＲＱ処理番号であり、Ｍｌｉｍｉｔは、事前定義された正実数であり、及び、ｍｉｎ（ＭＤＬ＿ＨＡＲＱ，Ｍｌｉｍｉｔ）は、ＭＤＬ＿ＨＡＲＱとＭｌｉｍｉｔのうちの小さい方の値を取ることを表す、ステップ、を含む、
請求項１８に記載の方法。
【請求項２０】
前記方法は、
前記ＵＥによって報告される、ターゲット変調方式がダウンリンク送信において使用されるときに前記ＵＥによって受信され得るＲＢの、最大数を受信するステップと、
前記ＵＥによってサポートされる前記最高次変調方式とＲＢの前記受信された最大数とに従って、前記ＵＥに割り振られたＲＢの数を決定し、それにより、前記ＵＥに割り振られるＲＢの前記数が前記受信された最大ＲＢ以下である、ステップと、をさらに含む、
請求項１７に記載の方法。
【請求項２１】
前記ＵＥのダウンリンクパラメータとして、前記ＵＥの前記ＵＥカテゴリ及び前記ＵＥによってサポートされる前記最高次変調方式に対応するダウンリンクパラメータを決定する前記ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、前記ステップの以降に、
前記方法は、
第１の構成情報及び第２の構成情報を前記ＵＥに送信するステップであり、ここにおいて、前記第１の構成情報は、ダウンリンク送信モードを指示するために使用され、かつ、前記第２の構成情報は、ダウンリンク送信が前記ＵＥにより実行されるときにターゲット変調方式がサポートされているかどうかを指示するために使用され、それにより、前記ＤＬ−ＳＣＨトランスポートブロックのソフトバッファサイズは、前記ＵＥの前記ＵＥカテゴリ、前記ダウンリンク送信モード、ソフトチャネル上で送信されるデータのビットの最大数、及び、ダウンリンク送信が前記ＵＥにより実行されるときに前記ターゲット変調方式がサポートされているかどうかに従って計算される、ステップ、
をさらに含む、
請求項１７から２０のいずれか一項に記載の方法。
【請求項２２】
前記方法は、
ＵＥカテゴリ及び最高次変調方式からダウンリンクパラメータへの対応関係を確立し、前記対応関係を前記ＵＥに送信するステップ、もしくは、
ＵＥカテゴリ及び最高次変調方式からダウンリンクパラメータへの、前記ＵＥによって送信された、対応関係を受信するステップ、をさらに含む、
請求項１４から２１のいずれか一項に記載の方法。
【請求項２３】
ダウンリンクパラメータを決定するための方法であって、
ユーザ機器ＵＥのカテゴリ情報及び変調情報を取得するステップであり、ここにおいて、前記カテゴリ情報は、前記ＵＥのＵＥカテゴリを含み、かつ、前記変調情報は、前記ＵＥによってサポートされる最高次変調方式を含む、ステップと、
前記ＵＥのダウンリンクパラメータとして、前記ＵＥの前記ＵＥカテゴリ及び前記ＵＥによってサポートされる前記最高次変調方式に対応するダウンリンクパラメータを決定するステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、ステップと、
を含む、方法。
【請求項２４】
前記方法は、
前記カテゴリ情報及び前記変調情報を基地局に報告し、それにより前記基地局は、前記ＵＥのダウンリンクパラメータとして、前記ＵＥの前記ＵＥカテゴリ及び前記ＵＥによってサポートされる前記最高次変調方式に対応するダウンリンクパラメータを決定する、ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、ステップ、
をさらに含む、請求項２３に記載の方法。
【請求項２５】
前記変調情報は、
前記ＵＥによってサポートされる前記最高次変調方式が、ターゲット変調方式であるかどうかを表すために使用される情報、及び、ダウンリンク変調方式の最高次変調次数のうちの少なくとも１つを含み、ここにおいて、前記ターゲット変調方式は、２５６直交振幅変調ＱＡＭ又は次数が６４ＱＡＭよりも高い変調方式を含む、
請求項２３又は２４に記載の方法。
【請求項２６】
前記ＵＥのダウンリンクパラメータとして、前記ＵＥの前記ＵＥカテゴリ及び前記ＵＥによってサポートされる前記最高次変調方式に対応するダウンリンクパラメータを決定する前記ステップであり、ここにおいて、前記ＵＥの前記ダウンリンクパラメータは、前記ＵＥのＵＥカテゴリ及び前記ＵＥによってサポートされる最高次変調方式から前記ＵＥのダウンリンクパラメータさらには前記ＵＥの前記ＵＥカテゴリ及び前記ＵＥによってサポートされる前記最高次変調方式への対応関係に従って決定される、前記ステップは、
前記ＵＥのダウンリンクパラメータとして、前記ＵＥのパラメータであり、かつ、前記ＵＥの前記ＵＥカテゴリに対応するダウンリンクパラメータ、前記ＵＥによってサポートされる前記最高次変調方式、及び、前記ＵＥによってサポートされる、ダウンリンクにおける空間多重化のための層の最大数を決定するステップであり、ここにおいて、前記ＵＥの前記ダウンリンクパラメータは、前記ＵＥのＵＥカテゴリ、前記ＵＥによってサポートされる最高次変調方式、及び、前記ＵＥによってサポートされる、ダウンリンクにおける空間多重化のための層の最大数、さらには、前記ＵＥの前記ＵＥカテゴリ、前記ＵＥによってサポートされる前記最高次変調方式、及び、前記ＵＥによってサポートされる、ダウンリンクにおける空間多重化のための層の前記最大数から、前記ＵＥのダウンリンクパラメータへの対応関係に従って決定される、ステップ、を含む、
請求項２３から２５のいずれか一項に記載の方法。
【請求項２７】
前記ダウンリンクパラメータは、
１つの送信時間間隔ＴＴＩ内に前記ＵＥによって受信され得るビットの最大数であり、ここにおいて、ビットの数は、
ダウンリンク共有チャネルＤＬ−ＳＣＨトランスポートブロックで送信されるデータのビットの数である、ビットの最大数、
１つのＤＬ−ＳＣＨトランスポートブロックで送信されるデータの、１つのＴＴＩ内に前記ＵＥによって受信され得る、ビットの最大数、
ソフトチャネル上で送信されるデータのビットの最大数、及び、
前記ＵＥによって受信され得るリソースブロックＲＢの最大数、
のうちの少なくとも１つを含む、
請求項２３から２６のいずれか一項に記載の方法。
【請求項２８】
前記カテゴリ情報及び前記変調情報を基地局に報告する前記ステップの以降に、前記方法は、
前記基地局によって送信された第１の構成情報及び第２の構成情報を受信するステップであり、ここにおいて、前記第１の構成情報は、ダウンリンク送信モードを指示するために使用され、かつ、前記第２の構成情報は、ダウンリンク送信が前記ＵＥにより実行されるときにターゲット変調方式がサポートされているかどうかを指示するために使用される、ステップと、
前記ＵＥの前記ＵＥカテゴリ、前記ダウンリンク送信モード、ソフトチャネル上で送信されるデータのビットの前記最大数、及び、ダウンリンク送信が前記ＵＥにより実行されるときに前記ターゲット変調方式がサポートされているかどうかに従って前記ＤＬ−ＳＣＨトランスポートブロックのソフトバッファサイズを計算するステップであり、ここにおいて、前記ダウンリンク送信モードは、前記基地局及び前記ＵＥがダウンリンク送信を実行する送信モードを含み、かつ、前記ターゲット変調方式は、２５６直交振幅変調ＱＡＭ又は次数が６４ＱＡＭよりも高い変調方式を含む、ステップと、
をさらに含む、請求項２７に記載の方法。
【請求項２９】
前記ＵＥの前記ＵＥカテゴリ、前記ダウンリンク送信モード、ソフトチャネル上で送信されるデータのビットの前記最大数、及び、ダウンリンク送信が前記ＵＥにより実行されるときに前記ターゲット変調方式がサポートされているかどうかに従って前記ＤＬ−ＳＣＨトランスポートブロックのソフトバッファサイズを計算する前記ステップは、
式
【数２７】
0006314238.tif 000048
を使用することによって前記ＤＬ−ＳＣＨトランスポートブロックの前記ソフトバッファサイズを計算するステップであり、
ここにおいて、ＮＩＲは、前記ＤＬ−ＳＣＨトランスポートブロックの前記ソフトバッファサイズを表し、Ｎｓｏｆｔは、前記ＵＥの前記ＵＥカテゴリ及び前記ダウンリンク送信モードに従って、ソフトチャネル上で送信されるデータのビットの前記最大数から決定されるソフトチャネルビットの数であり、ＫＣは、前記基地局と前記ＵＥとによって実行されるダウンリンク送信で前記ターゲット変調方式がサポートされているかどうかに従って決定される正実数であり、ＫＭＩＭＯは、１から２の値範囲内の自然数であり、ＭＤＬ＿ＨＡＲＱは、最大ダウンリンクハイブリッド自動再送要求ＨＡＲＱ処理番号であり、Ｍｌｉｍｉｔは、事前定義された正実数であり、及び、ｍｉｎ（ＭＤＬ＿ＨＡＲＱ，Ｍｌｉｍｉｔ）は、ＭＤＬ＿ＨＡＲＱとＭｌｉｍｉｔのうちの小さい方の値を取ることを表す、ステップ、
もしくは、
式
【数２８】
0006314238.tif 000049
を使用することによって前記ＤＬ−ＳＣＨトランスポートブロックの前記ソフトバッファサイズを計算するステップであり、
ここにおいて、ＮＩＲは、前記ＤＬ−ＳＣＨトランスポートブロックの前記ソフトバッファサイズを表し、Ｎｓｏｆｔは、前記ＵＥの前記ＵＥカテゴリ及び前記ダウンリンク送信モードに従って、ソフトチャネル上で送信されるデータのビットの前記最大数から決定されるソフトチャネルビットの数であり、αは、事前定義された正実数であり、ＫＣは、前記基地局と前記ＵＥとによって実行されるダウンリンク送信で前記ターゲット変調方式がサポートされているかどうかに従って決定される正実数であり、ＫＭＩＭＯは、１から２の値範囲内の自然数であり、ＭＤＬ＿ＨＡＲＱは、最大ダウンリンクＨＡＲＱ処理番号であり、Ｍｌｉｍｉｔは、事前定義された正実数であり、及び、ｍｉｎ（ＭＤＬ＿ＨＡＲＱ，Ｍｌｉｍｉｔ）は、ＭＤＬ＿ＨＡＲＱとＭｌｉｍｉｔのうちの小さい方の値を取ることを表す、ステップ、
を含む、請求項２８に記載の方法。
【請求項３０】
前記方法は、
ＵＥカテゴリ及び最高次変調方式からダウンリンクパラメータへの対応関係を確立し、前記対応関係を前記基地局に送信するステップ、もしくは、
ＵＥカテゴリ及び最高次変調方式からダウンリンクパラメータへの、前記基地局によって送信された、対応関係を受信するステップ、
をさらに含む、請求項２３から２９のいずれか一項に記載の方法。
【請求項３１】
コンピュータプログラムを保管しているコンピュータで読取り可能なストレージ媒体であって、前記コンピュータプログラムが一つまたはそれ以上のプロセッサによって実行されると、請求項１４乃至３０いずれか一項に記載の方法をコンピュータに実施させる、コンピュータで読取り可能なストレージ媒体。
【発明の詳細な説明】
【技術分野】
【０００１】
本発明は、通信分野に関するものであり、並びに特に、ダウンリンクパラメータを決定するための方法、デバイス、及び装置に関するものである。
【背景技術】
【０００２】
複数のユーザ機器（Ｕｓｅｒ  Ｅｑｕｉｐｍｅｎｔ，ＵＥ）カテゴリが、現行通信システムにおいて定義されている。通信時に、ＵＥは、ＵＥのＵＥカテゴリを基地局に報告することができ、及び次いで、基地局は、ＵＥカテゴリに従ってＵＥに対するダウンリンクパラメータを構成し、ここで、ダウンリンクパラメータは、
１つの送信時間間隔（Ｔｒａｎｓｍｉｓｓｉｏｎ  Ｔｉｍｅ  Ｉｎｔｅｒｖａｌ，ＴＴＩ）内に受信され得る最大ビット数であって、ここで、ビットの数はダウンリンク共有チャネル（Ｄｏｗｎｌｉｎｋ  Ｓｈａｒｅｄ  Ｃｈａｎｎｅｌ，ＤＬ−ＳＣＨ）トランスポートブロックで送信されるデータのビット数である最大ビット数（パラメータは第１のダウンリンクパラメータであり、ここで、パラメータはＭａｘｉｍｕｍ  ｎｕｍｂｅｒ  ｏｆ  ＤＬ−ＳＣＨ  ｔｒａｎｓｐｏｒｔ  ｂｌｏｃｋ  ｂｉｔｓ  ｒｅｃｅｉｖｅｄ  ｗｉｔｈｉｎ  ａ  ＴＴＩとして表され得る）、１つのＤＬ−ＳＣＨトランスポートブロックで送信されるデータの、１つのＴＴＩ内で受信され得る、最大ビット数（パラメータは、第２のダウンリンクパラメータであり、ここで、パラメータはＭａｘｉｍｕｍ  ｎｕｍｂｅｒ  ｏｆ  ｂｉｔｓ  ｏｆ  ａ  ＤＬ−ＳＣＨ  ｔｒａｎｓｐｏｒｔ  ｂｌｏｃｋ  ｒｅｃｅｉｖｅｄ  ｗｉｔｈｉｎ  ａ  ＴＴＩとして表され得る）、及びソフトチャネル（ｓｏｆｔ  ｃｈａｎｎｅｌ）上で送信されるデータの最大ビット数（パラメータは、第３のダウンリンクパラメータであり、ここで、パラメータはＴｏｔａｌ  ｎｕｍｂｅｒ  ｏｆ  ｓｏｆｔ  ｃｈａｎｎｅｌ  ｂｉｔｓとして表され得る）のうちの少なくとも１つを含み得る。このようにして、第１のダウンリンクパラメータを使用することによって、データのビットが最大でも、１つのＴＴＩ内にＵＥによっていくつ受信され得るかが知られるものとしてよく、第２のダウンリンクパラメータを使用することによって、データのビットが最大でも、１つのＤＬ−ＳＣＨトランスポートブロックにおいて１つのＴＴＩ内にＵＥによっていくつ受信され得るかが知られるものとしてよく、及び第３のダウンリンクパラメータを使用することによって、データのビットが最大でも、ソフトチャネル上でＵＥによっていくつ受信され得るかが知られるものとしてよい。
【０００３】
現在のロングタームエボリューション（Ｌｏｎｇ  Ｔｅｒｍ  Ｅｖｏｌｕｔｉｏｎ，ＬＴＥ）リリースでは、６４直交振幅変調（Ｑｕａｄｒａｔｕｒｅ  Ａｍｐｌｉｔｕｄｅ  Ｍｏｄｕｌａｔｉｏｎ，ＱＡＭ）が、最高次変調方式である。しかしながら、実際には、スペクトル効率を改善するために、データの変調方式の次数も、徐々に増大するものとしてよく、より高次の変調方式（たとえば、２５６ＱＡＭ）が基地局に対して導入され得る。たとえば、２５６ＱＡＭが基地局に対して導入されるときに、ダウンリンクパラメータは、そのまま、ＵＥカテゴリにのみ従って決定される。このようにして、異なる最高次変調方式をサポートするＵＥ（たとえば、ＵＥ１は６４ＱＡＭの最高次変調方式をサポートし、ＵＥ２は２５６ＱＡＭの最高次変調方式をサポートする）が同じＵＥカテゴリ内に存在するときに、基地局は、同じＵＥカテゴリ内の、最高次変調方式において最低次をサポートする、ＵＥに従ってのみダウンリンクパラメータを決定することができる（たとえば、ダウンリンクパラメータは、６４ＱＡＭの最高次変調方式をサポートするＵＥ１に従って決定される）。したがって、元々２５６ＱＡＭの特徴をサポートすることができるＵＥのダウンリンクパラメータは、２５６ＱＡＭの変調方式に従って決定されるダウンリンクパラメータではない。その結果、基地局及びＵＥが、ダウンリンク送信を実行するときに、２５６ＱＡＭの特徴は導入され得ず、このことがスペクトル効率を改善することを失敗させる。前述の技術において、ＵＥの変調特徴は、ダウンリンク送信のプロセスにおいて完全には使用され得ず、ＵＥによってサポートされている最高次変調方式の特徴は、ダウンリンク送信では導入され得ず、そのことがダウンリンク送信のスペクトル効率が高くないという問題を引き起こす。
【発明の概要】
【０００４】
本発明の実施形態は、ダウンリンクパラメータを決定するための方法、基地局、及びＵＥを提供するものであり、これらはＵＥの変調特徴がダウンリンク送信のプロセスにおいて完全には使用され得ず、ＵＥによってサポートされている最高次変調方式の特徴がダウンリンク送信において導入され得ないのでダウンリンク送信におけるスペクトル効率が高くないという問題を解決することができる。
【０００５】
第１の態様によれば、本発明は、基地局を実現し、この基地局は、第１の受信ユニットと決定ユニットとを備え、ここで
第１の受信ユニットは、ユーザ機器ＵＥによって報告されるカテゴリ情報及び変調情報を受信するように構成され、ここで、カテゴリ情報は、ＵＥのＵＥカテゴリを含み、及び変調情報は、ＵＥによってサポートされる最高次変調方式を含み、並びに
決定ユニットは、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０００６】
第１の態様の第１の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【０００７】
第１の態様の前述の任意の実装方式に関して、第１の態様の第２の可能な実装方式において、基地局は、
ＵＥによって報告され、及びＵＥによってサポートされている、ダウンリンクにおける空間多重化のための層の最大数を表すために使用される、層数情報を受信するように構成された第２の受信ユニットをさらに備え、ここで
決定ユニットは、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するように構成され、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【０００８】
第１の態様の前述の任意の実装方式に関して、第１の態様の第３の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含む。
【０００９】
第１の態様の第３の可能な実装方式に関して、第１の態様の第４の可能な実装方式において、基地局がさらに備える計算ユニットは、ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算するように構成され、ここで、ダウンリンク送信モードは、ＵＥによるダウンリンク送信が実行される送信モードを含む。
【００１０】
第１の態様の第４の可能な実装方式に関して、第１の態様の第５の可能な実装方式において、計算ユニットは、式
【数１】
0006314238.tif 000002
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは正実数であり、ＫＭＩＭＯは、１から２の値範囲内の自然数であり、ＭＤＬ＿ＨＡＲＱは最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、
又は
計算ユニットは、式
【数２】
0006314238.tif 000003
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【００１１】
第１の態様の第３の可能な実装方式に関して、第１の態様の第６の可能な実装方式において、基地局は、
ＵＥによって報告される、ターゲット変調方式がダウンリンク送信において使用されるときにＵＥによって受信され得るＲＢの、最大数を受信し、及びＵＥによってサポートされる最高次変調方式とＲＢの受信された最大数とに従って、ＵＥに割り振られたＲＢの数を決定し、ＵＥに割り振られるＲＢの数が受信された最大ＲＢ以下である、ように構成された第３の受信ユニットをさらに備える。
【００１２】
第１の態様の第３の可能な実装方式又は第４の可能な実装方式又は第５の可能な実装方式又は第６の可能な実装方式に関して、第１の態様の第７の可能な実装方式において、基地局は、
第１の構成情報及び第２の構成情報をＵＥに送信するように構成された送信ユニットをさらに備え、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＵＥは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算する。
【００１３】
第１の態様の前述の任意の実装方式に関して、第１の態様の第８の可能な実装方式において、基地局は、
ＵＥカテゴリ及び最高次変調方式からダウンリンクパラメータへの対応関係を確立し、その対応関係をＵＥに送信するように構成された確立ユニット、又は
ＵＥカテゴリ及び最高次変調方式からダウンリンクパラメータへの、ＵＥによって送信された、対応関係を受信するように構成された第４の受信ユニットをさらに備える。
【００１４】
第２の態様によれば、本発明は、ＵＥを実現し、ＵＥは、取得ユニットと決定ユニットとを備え、ここで
取得ユニットは、ＵＥのカテゴリ情報及び変調情報を取得するように構成され、ここで、カテゴリ情報は、ＵＥのＵＥカテゴリを含み、及び変調情報は、ＵＥによってサポートされる最高次変調方式を含み、並びに
決定ユニットは、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【００１５】
第２の態様の第１の可能な実装方式において、ＵＥは
カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定する、ように構成された報告ユニットをさらに備え、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【００１６】
第２の態様の前述の任意の実装方式に関して、第２の態様の第２の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【００１７】
第２の態様の前述の任意の実装方式に関して、第２の態様の第３の可能な実装方式において、決定ユニットは、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するように構成され、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【００１８】
第２の態様の前述の任意の実装方式に関して、第２の態様の第４の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るＲＢの最大数のうちの少なくとも１つを含む。
【００１９】
第２の態様の第４の可能な実装方式に関して、第２の態様の第５の可能な実装方式において、ＵＥは、
基地局によって送信された第１の構成情報及び第２の構成情報を受信するように構成された第１の受信ユニットであって、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用される、第１の受信ユニットと、
ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算し、ここで、ダウンリンク送信モードは、基地局及びＵＥがダウンリンク送信を実行する送信モードを含み、ターゲット変調方式は、２５６直交振幅変調ＱＡＭ又は次数が６４ＱＡＭよりも高い変調方式を含む、ように構成された計算ユニットとをさらに備える。
【００２０】
第２の態様の第５の可能な実装方式に関して、第２の態様の第６の可能な実装方式において、計算ユニットは、式
【数３】
0006314238.tif 000004
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクハイブリッド自動再送要求ＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、
又は
計算ユニットは、式
【数４】
0006314238.tif 000005
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【００２１】
第２の態様の前述の任意の実装方式に関して、第２の態様の第７の可能な実装方式において、ＵＥは、
ＵＥカテゴリ及び最高次変調方式からダウンリンクパラメータへの対応関係を確立し、その対応関係を基地局に送信するように構成された確立ユニット、又は
ＵＥカテゴリ及び最高次変調方式からダウンリンクパラメータへの、基地局によって送信された、対応関係を受信するように構成された第２の受信ユニットをさらに備える。
【００２２】
第３の態様によれば、本発明は、ダウンリンクパラメータを決定するための装置を実現し、これは
ユーザ機器ＵＥによって報告されるカテゴリ情報及び変調情報を受信するように構成された受信機であって、ここで、カテゴリ情報は、ＵＥのＵＥカテゴリを含み、及び変調情報は、ＵＥによってサポートされる最高次変調方式を含む、受信機と、
ＵＥのダウンリンクパラメータとして、ＵＥのＵＥカテゴリ及びＵＥによってサポートされる最高次変調方式に対応するダウンリンクパラメータを決定するように構成されたプロセッサであって、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、プロセッサとを備える。
【００２３】
第３の態様の第１の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【００２４】
第３の態様の前述の任意の実装方式に関して、第３の態様の第２の可能な実装方式において、受信機は、ＵＥによって報告され、及びＵＥによってサポートされている、ダウンリンクにおける空間多重化のための層の最大数を表すために使用される、層数情報を受信するようにさらに構成され、並びに
プロセッサは、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するように構成され、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【００２５】
第３の態様の前述の任意の実装方式に関して、第３の態様の第３の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るＲＢの最大数のうちの少なくとも１つを含む。
【００２６】
第３の態様の第３の可能な実装方式に関して、第３の態様の第４の可能な実装方式において、プロセッサは、ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算するようにさらに構成され、ここで、ダウンリンク送信モードは、ＵＥによるダウンリンク送信が実行される送信モードを含む。
【００２７】
第３の態様の第３の可能な実装方式に関して、第３の態様の第５の可能な実装方式において、受信機は、ＵＥによって報告される、ターゲット変調方式がダウンリンク送信において使用されるときにＵＥによって受信され得るＲＢの、最大数を受信するようにさらに構成され、並びに
プロセッサは、ＵＥによってサポートされる最高次変調方式とＲＢの受信された最大数とに従って、ＵＥに割り振られたＲＢの数を決定し、ＵＥに割り振られるＲＢの数が受信された最大ＲＢ以下である、ようにさらに構成される。
【００２８】
第３の態様の第３の可能な実装方式又は第４の可能な実装方式又は第５の可能な実装方式に関して、第３の態様の第６の可能な実装方式において、装置は、送信機をさらに備え、ここで、
送信機は、第１の構成情報及び第２の構成情報をＵＥに送信するように構成され、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＵＥは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算する。
【００２９】
第３の態様の前述の任意の実装方式に関して、第３の態様の第７の可能な実装方式において、装置は、送信機をさらに備え、ここで、
プロセッサは、ＵＥカテゴリ及び最高次変調方式からダウンリンクパラメータへの対応関係を確立するようにさらに構成され、並びに
送信機は、その対応関係をＵＥに送信するように構成される、又は
受信機は、ＵＥカテゴリ及び最高次変調方式からダウンリンクパラメータへの、ＵＥによって送信された、対応関係を受信するように構成される。
【００３０】
第４の態様によれば、本発明は、ダウンリンクパラメータを決定するための装置を実現し、これは、ユーザ機器ＵＥのカテゴリ情報及び変調情報を取得するように構成されたプロセッサであって、ここで、カテゴリ情報は、ＵＥのＵＥカテゴリを含み、及び変調情報は、ＵＥによってサポートされる最高次変調方式を含む、プロセッサを備え、ここで、
プロセッサは、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【００３１】
第４の態様の第１の可能な実装方式において、装置は、送信機をさらに備え、ここにおいて
送信機は、カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定する、ように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【００３２】
第４の態様の前述の任意の実装方式に関して、第４の態様の第２の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【００３３】
第４の態様の前述の任意の実装方式に関して、第４の態様の第３の可能な実装方式において、プロセッサは、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するようにさらに構成され、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【００３４】
第４の態様の前述の任意の実装方式に関して、第４の態様の第４の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含む。
【００３５】
第４の態様の第４の可能な実装方式に関して、第４の態様の第５の可能な実装方式において、装置は、受信機をさらに備え、ここで、
受信機は、基地局によって送信された第１の構成情報及び第２の構成情報を受信するように構成され、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、並びに
プロセッサは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算し、ここで、ダウンリンク送信モードは、基地局及びＵＥがダウンリンク送信を実行する送信モードを含み、ターゲット変調方式は、２５６直交振幅変調ＱＡＭ又は次数が６４ＱＡＭよりも高い変調方式を含む、ように構成される。
【００３６】
第４の態様の前述の任意の実装方式に関して、第４の態様の第６の可能な実装方式において、装置は、送信機及び受信機をさらに備え、ここで、
プロセッサは、ＵＥカテゴリ及び最高次変調方式からダウンリンクパラメータへの対応関係を確立するようにさらに構成され、並びに
送信機は、基地局に、プロセッサによって確立された対応関係を送信するように構成される、又は
受信機は、ＵＥカテゴリ及び最高次変調方式からダウンリンクパラメータへの、基地局によって送信された、対応関係を受信するように構成される。
【００３７】
第５の態様によれば、本発明は、ダウンリンクパラメータを決定するための方法を提供し、この方法は
ユーザ機器ＵＥによって報告されるカテゴリ情報及び変調情報を受信し、ここで、カテゴリ情報は、ＵＥのＵＥカテゴリを含み、及び変調情報は、ＵＥによってサポートされる最高次変調方式を含む、ことと、
ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、こととを含む。
【００３８】
第５の態様の第１の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【００３９】
第５の態様の前述の任意の実装方式に関して、第５の態様の第２の可能な実装方式において、ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことの前に、この方法は、
ＵＥによって報告され、及びＵＥによってサポートされている、ダウンリンクにおける空間多重化のための層の最大数を表すために使用される、層数情報を受信することをさらに含み、並びに
ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことは、
ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定し、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される、ことを含む。
【００４０】
第５の態様の前述の任意の実装方式に関して、第５の態様の第３の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含む。
【００４１】
第５の態様の前述の任意の実装方式に関して、第５の態様の第４の可能な実装方式において、ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことの後に、この方法は、
ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算し、ここで、ダウンリンク送信モードは、ＵＥによるダウンリンク送信が実行される送信モードを含む、ことをさらに含む。
【００４２】
第５の態様の第４の可能な実装方式に関して、第５の態様の第５の可能な実装方式において、ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算することは、
式
【数５】
0006314238.tif 000006
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは正実数であり、ＫＭＩＭＯは、１から２の値範囲内の自然数であり、ＭＤＬ＿ＨＡＲＱは最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、こと、
又は
式
【数６】
0006314238.tif 000007
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、ことを含む。
【００４３】
第５の態様の第３の可能な実装方式に関して、第５の態様の第６の可能な実装方式において、この方法は、
ＵＥによって報告される、ターゲット変調方式がダウンリンク送信において使用されるときにＵＥによって受信され得るＲＢの、最大数を受信することと、及びＵＥによってサポートされる最高次変調方式とＲＢの受信された最大数とに従って、ＵＥに割り振られたＲＢの数を決定することとをさらに含み、そのため、ＵＥに割り振られるＲＢの数は、受信された最大ＲＢ以下である。
【００４４】
第５の態様の第３の可能な実装方式又は第４の可能な実装方式又は第５の可能な実装方式又は第６の可能な実装方式に関して、第５の態様の第７の可能な実装方式において、
ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことの後に、この方法は、
第１の構成情報及び第２の構成情報をＵＥに送信することをさらに含み、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＤＬ−ＳＣＨトランスポートブロックのソフトバッファサイズは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従って計算される。
【００４５】
第５の態様の前述の任意の実装方式に関して、第５の態様の第８の可能な実装方式において、この方法は、
ＵＥカテゴリ及び最高次変調方式からダウンリンクパラメータへの対応関係を確立し、及びその対応関係をＵＥに送信すること、又は
ＵＥカテゴリ及び最高次変調方式からダウンリンクパラメータへの、ＵＥによって送信された、対応関係を受信することをさらに含む。
【００４６】
第６の態様によれば、本発明は、ダウンリンクパラメータを決定するための方法を提供し、この方法は
ユーザ機器ＵＥのカテゴリ情報及び変調情報を取得し、ここで、カテゴリ情報は、ＵＥのＵＥカテゴリを含み、及び変調情報は、ＵＥによってサポートされる最高次変調方式を含む、ことと、
ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、こととを含む。
【００４７】
第６の態様の第１の可能な実装様式において、この方法は
カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことをさらに含む。
【００４８】
第６の態様の前述の任意の実装方式に関して、第６の態様の第２の可能な実装方式において、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【００４９】
第６の態様の前述の任意の実装方式に関して、第６の態様の第３の可能な実装方式において、ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことは、
ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定し、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される、ことを含む。
【００５０】
第６の態様の前述の任意の実装方式に関して、第６の態様の第４の可能な実装方式において、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含む。
【００５１】
第６の態様の第４の可能な実装方式に関して、第６の態様の第５の可能な実装方式において、カテゴリ情報及び変調情報を基地局に報告することの後に、この方法は、
基地局によって送信された第１の構成情報及び第２の構成情報を受信し、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用される、ことと、
ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算し、ここで、ダウンリンク送信モードは、基地局及びＵＥがダウンリンク送信を実行する送信モードを含み、ターゲット変調方式は、２５６直交振幅変調ＱＡＭ又は次数が６４ＱＡＭよりも高い変調方式を含む、こととをさらに含む。
【００５２】
第６の態様の第５の可能な実装方式に関して、第６の態様の第６の可能な実装方式において、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算することは、
式
【数７】
0006314238.tif 000008
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクハイブリッド自動再送要求ＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、こと
又は
式
【数８】
0006314238.tif 000009
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、ことを含む。
【００５３】
第６の態様の前述の任意の実装方式に関して、第６の態様の第７の可能な実装方式において、この方法は、
ＵＥカテゴリ及び最高次変調方式からダウンリンクパラメータへの対応関係を確立し、その対応関係を基地局に送信すること、又は
ＵＥカテゴリ及び最高次変調方式からダウンリンクパラメータへの、基地局によって送信された、対応関係を受信することをさらに含む。
【００５４】
前述の技術的解決方法では、ＵＥによって報告されるカテゴリ情報及び変調情報が受信され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリ及びＵＥによってサポートされる最高次変調方式に対応するダウンリンクパラメータは、次いで、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、及びダウンリンク送信時により高次の変調方式が導入され、それにより、ＵＥの変調特徴がダウンリンク送信のプロセスにおいて完全に使用されることが実現されるものとしてよい。それに加えて、ＵＥによってサポートされている最高次変調方式の特徴は、ダウンリンク送信で導入され得るので、ダウンリンク送信のスペクトル効率は改善され得る。
【００５５】
本発明の実施形態又は従来技術における技術的解決方法をより明確に説明するために、以下において、実施形態又は従来技術の説明に必要な添付図面を簡単に紹介する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【００５６】
【図１】本発明の一実施形態による基地局の概略構造図である。
【図２】本発明の一実施形態による別の基地局の概略構造図である。
【図３】本発明の一実施形態による別の基地局の概略構造図である。
【図４】本発明の一実施形態によるＵＥの概略構造図である。
【図５】本発明の一実施形態による別のＵＥの概略構造図である。
【図６】本発明の一実施形態によりダウンリンクパラメータを決定するための装置の概略構造図である。
【図７】本発明の一実施形態によりダウンリンクパラメータを決定するための別の装置の概略構造図である。
【図８】本発明の一実施形態によりダウンリンクパラメータを決定するための方法の概略流れ図である。
【図９】本発明の一実施形態によりダウンリンクパラメータを決定するための別の方法の概略流れ図である。
【図１０】本発明の一実施形態によりダウンリンクパラメータを決定するための別の方法の概略流れ図である。
【図１１】本発明の一実施形態によりダウンリンクパラメータを決定するための別の方法の概略流れ図である。
【図１２】本発明の一実施形態によりダウンリンクパラメータを決定するための別の方法の概略図である。
【発明を実施するための形態】
【００５７】
以下では、本発明の実施形態の添付図面を参照しつつ本発明の実施形態の技術的解決方法について明確に、且つ完全に説明する。明らかに、説明されている実施形態は、本発明の実施形態のすべてではなくむしろ一部にすぎない。創造的労力を費やすことなく本発明の実施形態に基づいて当業者が得る他のすべての実施形態は、本発明の保護の範囲内に収まるものとする。
【００５８】
図１を参照すると、図１は、本発明の一実施形態による基地局の概略構造図である。図１に示されているように、基地局は、第１の受信ユニット１１と決定ユニット１２とを備える。
【００５９】
第１の受信ユニット１１は、ＵＥによって報告されるカテゴリ情報及び変調情報を受信するように構成され、ここで、カテゴリ情報は、ＵＥのＵＥカテゴリを含み、及び変調情報は、ＵＥによってサポートされる最高次変調方式を含む。
【００６０】
適宜、ＵＥのＵＥカテゴリは、この実施形態において制限されない。たとえば、ＵＥのＵＥカテゴリは、ＬＴＥリリース１０システム（略してＬＴＥ  Ｒｅｌ−１０）において定義されている８つのＵＥカテゴリのうちのいずれか１つであってよい。それに加えて、８つのＵＥカテゴリとは別に、ＵＥのＵＥカテゴリは、ＬＴＥリリース１０システム（略してＬＴＥ  Ｒｅｌ−１０）と別のシステム（たとえば、ＬＴＥリリース１１システム、及びＬＴＥリリース１２システム）で定義されているＵＥカテゴリであってもよい。
【００６１】
適宜、ＵＥによってサポートされる最高次変調方式は制限されない。たとえば、ＵＥによってサポートされる最高次変調方式は、６４ＱＡＭ、２５６ＱＡＭ、次数が６４ＱＡＭよりも高い変調方式、又は同様のものであってよい。
【００６２】
決定ユニット１２は、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【００６３】
適宜、対応関係は、複数のＵＥカテゴリの対応関係を含むものとしてよく、ここで、各ＵＥカテゴリの対応関係は、ＵＥカテゴリ及び少なくとも１つの最高次変調方式から少なくとも１つのダウンリンクパラメータへの対応関係である。たとえば、ＵＥカテゴリ１でサポートされている最高次変調方式は、６４ＱＡＭ及び２５６ＱＡＭを含むものとしてよく、この場合、対応関係は、ＵＥカテゴリ１及び６４ＱＡＭのサポートされている最高次変調方式からダウンリンクパラメータ１への対応関係を含み、ＵＥカテゴリ１及び２５６ＱＡＭのサポートされている最高次変調方式からダウンリンクパラメータ２への対応関係をさらに含むものとしてよい。このように、ＵＥのＵＥカテゴリがＵＥカテゴリ１であり、ＵＥによってサポートされている最高次変調方式が、２５６ＱＡＭであるときに、決定ユニット１２は、ダウンリンクパラメータ２がＵＥのダウンリンクパラメータであると決定することができる。
【００６４】
適宜、カテゴリ情報に含まれるＵＥカテゴリは、１つ又は複数のＵＥカテゴリであってよく、この場合、決定ユニット１２は、ＵＥに対する１つ又は複数のダウンリンクパラメータを決定するものとしてよく、ここで、各ダウンリンクパラメータは、１つのＵＥカテゴリに対応する。
【００６５】
前述の技術的解決方法では、ＵＥによって報告されるカテゴリ情報及び変調情報が受信され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリ及びＵＥによってサポートされる最高次変調方式に対応するダウンリンクパラメータは、次いで、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、及びダウンリンク送信時により高次の変調方式が導入され、それにより、ＵＥの変調特徴がダウンリンク送信のプロセスにおいて完全に使用されることが実現されるものとしてよい。それに加えて、ＵＥによってサポートされている最高次変調方式の特徴は、ダウンリンク送信で導入され得るので、ダウンリンク送信のスペクトル効率は改善され得る。
【００６６】
図２を参照すると、図２は、本発明の一実施形態による別の基地局の概略構造図である。図２に示されているように、基地局は、第１の受信ユニット２１、第２の受信ユニット２２、及び決定ユニット２３を備える。
【００６７】
第１の受信ユニット２１は、ユーザ機器ＵＥによって報告されるカテゴリ情報及び変調情報を受信するように構成され、ここで、カテゴリ情報は、ＵＥのＵＥカテゴリを含み、及び変調情報は、ＵＥによってサポートされる最高次変調方式を含む。
【００６８】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含むものとしてよく、ここで、ターゲット変調方式は、２５６ＱＡＭ又は次数が６４ＱＡＭよりも高い変調方式を含む。
【００６９】
適宜、この実施形態では、情報が、ＵＥによってサポートされる最高次変調方式がターゲット変調方式でないことを表すときに、方法において、ＵＥによってサポートされる最高次変調方式は候補変調方式であることがさらに決定されるものとしてよく、ここで、候補変調方式は、変調次数がターゲット変調方式よりも低い変調方式である。たとえば、ターゲット変調方式は２５６ＱＡＭであり、候補変調方式は６４ＱＡＭであってよい。
【００７０】
適宜、ダウンリンク変調方式の最高次変調次数は、サポートされている最高次変調方式と一対一対応関係にあるので、方法において、ＵＥによってサポートされている最高次変調方式は、変調情報がダウンリンク変調方式の最高次変調次数であるときに直接的に得られ得る。たとえば、ダウンリンク変調方式の最高次変調次数が８のときに、ＵＥによってサポートされている最高次変調方式は、２５６ＱＡＭであり、ダウンリンク変調方式の最高次変調次数が６のときに、ＵＥによってサポートされている最高次変調方式は、６４ＱＡＭである。
【００７１】
第２の受信ユニット２２は、ＵＥによって報告され、及びＵＥによってサポートされている、ダウンリンクにおける空間多重化のための層の最大数（たとえば、ＤＬにおける空間多重化に対するサポートされている層の最大数）を表すために使用される、層数情報を受信するように構成される。
【００７２】
適宜、層数情報は、ＵＥによって積極的に報告され得る、又はＵＥが要求メッセージを受信した後に、層数情報は、その要求メッセージに従って報告され得る。
【００７３】
決定ユニット２３は、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するように構成され、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【００７４】
適宜、対応関係は、表の形で表されるものとしてよく、このようにして、ＵＥのＵＥカテゴリ、ＵＥによってサポートされる最高次変調方式、及びＵＥによってサポートされる、ダウンリンクにおける空間多重化に対する層の、最大数が決定されるときに、ダウンリンクパラメータは、この表から直接見つけることができる。
【００７５】
適宜、対応関係は、表１から表６．２に記載の対応関係を含み得る。
【００７６】
【表１】
0006314238.tif 000010
【００７７】
「１つのＤＬ−ＳＣＨトランスポートブロックで送信されるデータの、１つのＴＴＩ内に受信され得る、ビットの最大数」の欄において、「１４９７７６（４つの層）」は、ダウンリンクにおける空間多重化に対する層の最大数が４であるときに、カテゴリ６の１つのＤＬ−ＳＣＨトランスポートブロックで送信されるデータの、１つのＴＴＩ内に受信され得る、ビットの最大数が、１４９７７６であることを表し、「７５３７６（２つの層）」は、ダウンリンクにおける空間多重化に対する層の最大数が２であるときに、カテゴリ６の１つのＤＬ−ＳＣＨトランスポートブロックで送信されるデータの、１つのＴＴＩ内に受信され得る、ビットの最大数が、７５３７６であることを表している。それに加えて、ＵＥによってサポートされる最高次変調方式がターゲット変調方式である（すなわち、表１の「ターゲット変調方式がサポートされている」）か、又はＵＥによってサポートされる最高次変調方式がターゲット変調方式でない（すなわち、表１の「ターゲット変調方式がサポートされていない」）かどうかに関係なく、決定ユニット２３によって決定されるダウンリンクパラメータは同じである。
【００７８】
表１に従って、ＵＥによって報告されるＵＥカテゴリがカテゴリ１からカテゴリ７のうちのＵＥカテゴリであるときに、ＵＥのダウンリンクパラメータは、ＵＥカテゴリ及びサポートされている最高次変調方式に従って決定され得ることが実現されるものとしてよい。このようにして、ＵＥが２５６ＱＡＭ又は次数が６４ＱＡＭよりも高い変調方式をサポートしているときに、２５６ＱＡＭ又は次数が６４ＱＡＭよりも高い変調方式の特徴が、基地局及びＵＥがダウンリンク送信を実行するときに導入され、それにより、スペクトル効率を改善することができることが実現され得る。
【００７９】
【表２】
0006314238.tif 000011
【００８０】
【表３】
0006314238.tif 000012
【００８１】
表２．１及び表２．２に従って、ＵＥによって報告されるＵＥカテゴリがカテゴリ８のＵＥカテゴリであるときに、ＵＥのダウンリンクパラメータは、ＵＥカテゴリ及びサポートされている最高次変調方式に従って決定され得ることが実現されるものとしてよい。このようにして、ＵＥが２５６ＱＡＭ又は次数が６４ＱＡＭよりも高い変調方式をサポートしているときに、２５６ＱＡＭ又は次数が６４ＱＡＭよりも高い変調方式の特徴が、基地局及びＵＥがダウンリンク送信を実行するときに導入され、それにより、スペクトル効率を改善することができることが実現され得る。
【００８２】
【表４】
0006314238.tif 000013
【００８３】
表３．１に従って、ＵＥカテゴリがカテゴリＡであるＵＥについて、１つのＴＴＩ内にＵＥによって受信され得るビットの最大数が３０１５０４であり、ソフトチャネル上で送信されるデータのビットの最大数は３６５４１４４であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数がＮ２であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数がＮ１であると決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が７５３７６であると決定され得る。Ｎ１及びＮ２は、それぞれ、１つの層と２つの層のものであり、２５６ＱＡＭでサポートされ得る事前定義された最大トランスポートブロックサイズ（Ｔｒａｎｓｐｏｒｔ  Ｂｌｏｃｋ  Ｓｉｚｅ，ＴＢＳ）であり、Ｎ１は７５３７６よりも大きい整数であってよく、及びＮ１は１４９７７６よりも大きい整数であってよい。たとえば、Ｎ１＝１０１８４０、及びＮ２＝２０３７０４、Ｎ１＝９７８９６、及びＮ２＝１９５８１６、Ｎ１＝１０５５２８、及びＮ２＝２１１９３６、又はＮ１＝９３８００、及びＮ２＝１８７７１２である。以下で述べられているＮ１及びＮ２の値は、ここで述べたものと同じであり、詳細については、再度説明しない。
【００８４】
【表５】
0006314238.tif 000014
【００８５】
【表６】
0006314238.tif 000015
【００８６】
表３．２又は表３．３に従って、ＵＥカテゴリがカテゴリＡであるＵＥ１について、１つのＤＬ−ＳＣＨトランスポートブロックにおいて１つのＴＴＩ内にＵＥによって受信され得るビットの最大数が３０１５０４であり、ソフトチャネル上で送信されるデータのビットの最大数は３６５４１４４であることが決定され得る。ＵＥによってサポートされる、ダウンリンクにおける空間多重化に対する層の最大数が４である場合、１つのＤＬ−ＳＣＨトランスポートブロックにおいて１つのＴＴＩ内にＵＥによって受信され得るビットの最大数がＮ２であると決定され得る。ＵＥによってサポートされる、ダウンリンクにおける空間多重化に対する層の最大数が２である場合、１つのＤＬ−ＳＣＨトランスポートブロックにおいて１つのＴＴＩ内にＵＥによって受信され得るビットの最大数がＮ１であると決定され得る。
【００８７】
表３．２は、ＵＥによってサポートされる最高次変調方式がターゲット変調方式であるときのみ使用される。表３．３において、ＵＥによってサポートされる最高次変調方式がターゲット変調方式である（すなわち、表１の「ターゲット変調方式がサポートされている」）か、又はＵＥによってサポートされる最高次変調方式がターゲット変調方式でない（すなわち、表１の「ターゲット変調方式がサポートされていない」）かどうかに関係なく、ステップ２０３において決定されるダウンリンクパラメータは同じである。
【００８８】
【表７】
0006314238.tif 000016
【００８９】
前述の表に従って、１つのＴＴＩ内にＵＥによって受信され得るビットの最大数が３０１５０４であり、ソフトチャネル上で送信されるデータのビットの最大数が３６５４１４４であることが決定され得る。ＵＥによってサポートされる、ダウンリンクにおける空間多重化に対する層の最大数が４である場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が７５３７６であると決定され得る。
【００９０】
【表８】
0006314238.tif 000017
【００９１】
前述の表に従って、１つのＴＴＩ内にＵＥによって受信され得るビットの最大数が３０１５０４であり、ソフトチャネル上で送信されるデータのビットの最大数は３６５４１４４であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数がＮ２であると決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が７５３７６であると決定され得る。
【００９２】
【表９】
0006314238.tif 000018
【００９３】
前述の表に従って、ＵＥカテゴリがカテゴリＡであるＵＥ１について、１つのＴＴＩ内にＵＥによって受信され得るビットの最大数が３０１５０４であり、ソフトチャネル上で送信されるデータのビットの最大数が３６５４１４４であることが決定されるものとしてよく、及び１つのＤＬ−ＳＣＨトランスポートブロックにおいて１つのＴＴＩ内にＵＥによって受信され得るビットの最大数は１４９７７６であることが決定される。
【００９４】
表３から表３．６に従って、及び方法を用いて、サポートされ得る最大ダウンリンク送信速度が約３００Ｍｂｐｓ（毎秒メガビット）（すなわち、３０１５０４ｂｉｔ（ビット）／１ｍｓ（ミリ秒）＝３０１．５０４Ｍｂｐｓ、ここで、１ＴＴＩ＝１ｍｓ）であることが実現され得る。ＵＥカテゴリがカテゴリＡであるＵＥが、２５６ＱＡＭ又は次数が６４ＱＡＭよりも高い変調方式をサポートすることができるときに、ＵＥが１つのキャリアをサポートし、ＵＥによってサポートされる、ダウンリンクにおける空間多重化に対する層の数が２であると仮定すると、ＵＥが到達できるダウンリンク送信速度は約２００Ｍｂｐｓ（すなわち、Ｎ１ｂｉｔ＊２／１ｍｓ＝２０３．６８Ｍｂｐｓ）であり、ここで、本発明のこの実施形態における＊は、乗算を表す。
【００９５】
それに加えて、表３から表３．６に従って、及び方法を用いて、カテゴリＡであるＵＥカテゴリは、ＬＴＥ  Ｒｅｌ−１０及びＲｅｌ−１１において定義されているカテゴリ６又はカテゴリ７であるＵＥカテゴリに類似することが実現され得る。したがって、方法において、ＬＴＥ  Ｒｅｌ−１０及びＲｅｌ−１１で定義されているカテゴリ６及びカテゴリ７のソフトチャネル上で送信されるデータのビットの最大数を変更することなく、ＵＥが、２５６ＱＡＭ又は次数が６４ＱＡＭよりも高い変調方式をサポートすることができることが実現されるものとしてよく、１つのキャリアがあり、ダウンリンクにおける空間多重化に対する層の数が２であるときに、ＵＥは、ダウンリンクピーク送信速度に到達することができる。
【００９６】
【表１０】
0006314238.tif 000019
【００９７】
表４．１に従って、ＵＥカテゴリがカテゴリＢであるＵＥについて、１つのＴＴＩ内にＵＥによって受信され得るビットの最大数が４５２２５６であり、ソフトチャネル上で送信されるデータのビットの最大数は５４８１２１６であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数がＮ２であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数がＮ１であると決定する。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が７５３７６であると決定する。
【００９８】
【表１１】
0006314238.tif 000020
【００９９】
【表１２】
0006314238.tif 000021
【０１００】
表４．２又は表４．３に従って、ＵＥカテゴリがカテゴリＢであるＵＥについて、１つのＴＴＩ内にＵＥによって受信され得るビットの最大数が４５２２５６であり、ソフトチャネル上で送信されるデータのビットの最大数は５４８１２１６であることが決定され得る。ＵＥによってサポートされる、ダウンリンクにおける空間多重化に対する層の最大数が４である場合、基地局は、１つのＤＬ−ＳＣＨトランスポートブロックにおいて１つのＴＴＩ内にＵＥによって受信され得るビットの最大数がＮ２であると決定する。ＵＥによってサポートされる、ダウンリンクにおける空間多重化に対する層の最大数が２である場合、基地局は、１つのＤＬ−ＳＣＨトランスポートブロックにおいて１つのＴＴＩ内にＵＥによって受信され得るビットの最大数がＮ１であると決定する。
【０１０１】
表４．２は、ＵＥによってサポートされる最高次変調方式がターゲット変調方式であるときのみ使用される。表４．３において、ＵＥによってサポートされる最高次変調方式がターゲット変調方式である（すなわち、表１の「ターゲット変調方式がサポートされている」）か、又はＵＥによってサポートされる最高次変調方式がターゲット変調方式でない（すなわち、表１の「ターゲット変調方式がサポートされていない」）かどうかに関係なく、ステップ２０３において決定されるダウンリンクパラメータは同じである。
【０１０２】
【表１３】
0006314238.tif 000022
【０１０３】
表４．４に従って、ＵＥカテゴリがカテゴリＢであるＵＥについて、１つのＴＴＩ内にＵＥによって受信され得るビットの最大数が４５２２５６であり、ソフトチャネル上で送信されるデータのビットの最大数は５４８１２１６であることが決定され得る。ＵＥによってサポートされる、ダウンリンクにおける空間多重化に対する層の最大数が４である場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が７５３７６であると決定する。
【０１０４】
【表１４】
0006314238.tif 000023
【０１０５】
前述の表に従って、１つのＴＴＩ内にＵＥによって受信され得るビットの最大数が４５２２５６であり、ソフトチャネル上で送信されるデータのビットの最大数は５４８１２１６であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数がＮ２であると決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が７５３７６であると決定され得る。
【０１０６】
【表１５】
0006314238.tif 000024
【０１０７】
表４．６に従って、ＵＥカテゴリがカテゴリＢであるＵＥについて、１つのＴＴＩ内にＵＥによって受信され得るビットの最大数が４５２２５６であり、ソフトチャネル上で送信されるデータのビットの最大数は５４８１２１６であることが決定されるものとしてよく、並びに１つのＤＬ−ＳＣＨトランスポートブロックにおいて１つのＴＴＩ内にＵＥによって受信され得るビットの最大数は１４９７７６であることが決定される。
【０１０８】
方法において、表４から表４．６に従って、サポートされ得る最大ダウンリンク送信速度が約４５０Ｍｂｐｓ（すなわち、４５２２５６ｂｉｔ／１ｍｓ＝４５２．２５６Ｍｂｐｓ、ここで、１ＴＴＩ＝１ｍｓ）である。ＵＥが、２５６ＱＡＭ又は次数が６４ＱＡＭよりも高い変調方式をサポートすることができるときに、ＵＥが２つのキャリアをサポートし、ＵＥによってサポートされる、ダウンリンクにおける空間多重化に対する層の数が２であると仮定すると、ＵＥが到達できるダウンリンク送信速度は約４００Ｍｂｐｓ（すなわち、Ｎ１ｂｉｔ＊２＊２／１ｍｓ＝４０７．３６Ｍｂｐｓ）である。ＵＥが、２５６ＱＡＭ又は次数が６４ＱＡＭよりも高い変調方式をサポートすることができるときに、ＵＥが１つのキャリアをサポートし、ＵＥによってサポートされる、ダウンリンクにおける空間多重化に対する層の数が４であると仮定すると、ＵＥが到達できるダウンリンク送信速度は約４００Ｍｂｐｓ（すなわち、Ｎ２ｂｉｔ＊２／１ｍｓ＝４０７．４０８Ｍｂｐｓ）である。ＵＥが、２５６ＱＡＭ又は次数が６４ＱＡＭよりも高い変調方式をサポートすることができるときに、ＵＥが３つのキャリアをサポートし、ＵＥによってサポートされる、ダウンリンクにおける空間多重化に対する層の数が２であると仮定すると、ＵＥが到達できるダウンリンク送信速度は約４５０Ｍｂｐｓ（すなわち、７５３７６ｂｉｔ＊２＊３／１ｍｓ＝４５２．２５６Ｍｂｐｓ）である。
【０１０９】
この方法を用いて、ＵＥは、２５６ＱＡＭ又は次数が６４ＱＡＭよりも高い変調方式をサポートすることができ、並びに２つのキャリアがあり、ダウンリンクにおける空間多重化に対する層の数が２であるときに、ＵＥは、ダウンリンクピーク送信速度に到達することができるか、又は１つのキャリアがあり、ダウンリンクにおける空間多重化に対する層の数が４であるときに、ＵＥは、ダウンリンクピーク送信速度に到達することができる。
【０１１０】
【表１６】
0006314238.tif 000025
【０１１１】
表５．１に従って、ＵＥカテゴリがカテゴリＣであるＵＥについて、１つのＴＴＩ内にＵＥによって受信され得るビットの最大数がＭ１であり、ソフトチャネル上で送信されるデータのビットの最大数はＳ１であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数がＮ２であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数がＮ１であると決定する。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が７５３７６であると決定する。
【０１１２】
Ｍ１の値は、ｍａｘ（２＊Ｎ１，Ｎ２）とすることができ、ここで、ｍａｘ（２＊Ｎ１，Ｎ２）は、２つの値２＊Ｎ１及びＮ２のうちの大きい方の値を取ることを表し、及びＳ１の値は、１２＊Ｍ１であってよい。特に、Ｎ１＝１０１８４０、及びＮ２＝２０３７０４であるときに、Ｍ１＝２０３７０４、及びＳ１＝２４６７５８４であり、Ｎ１＝９７８９６、及びＮ２＝１９５８１６であるときに、Ｍ１＝１９５８１６、及びＳ１＝２３７１５８４であり、Ｎ１＝１０５５２８、及びＮ２＝２１１９３６であるときに、Ｍ１＝２１１９３６、及びＳ１＝２５６７０４０であり、又はＮ１＝９３８００、及びＮ２＝１８７７１２であるときに、Ｍ１＝１８７７１２、及びＳ１＝２２７３６６４である。この場合、カテゴリＣでＵＥが到達できるダウンリンクピーク速度は、約２００Ｍｂｐｓである。
【０１１３】
代替的に、Ｍ１の値は、ｍａｘ（４＊Ｎ１，２＊Ｎ２）であってよく、及びＳ１の値は、１２＊Ｍ１であってよい。特に、Ｎ１＝１０１８４０、及びＮ２＝２０３７０４であるときに、Ｍ１＝４０７４０８、及びＳ１＝４９３５１６８であり、Ｎ１＝９７８９６、及びＮ２＝１９５８１６であるときに、Ｍ１＝３９１６３２、及びＳ１＝４７４３１６８であり、Ｎ１＝１０５５２８、及びＮ２＝２１１９３６であるときに、Ｍ１＝４２３８７２、及びＳ１＝５１３４０８０であり、又はＮ１＝９３８００、及びＮ２＝１８７７１２であるときに、Ｍ１＝３７５４２４、及びＳ１＝４５４７３２８である。この場合、カテゴリＣでＵＥが到達できるダウンリンクピーク速度は、約４００Ｍｂｐｓである。
【０１１４】
代替的に、Ｍ１の値は、ｍａｘ（６＊Ｎ１，３＊Ｎ２，７５３７６＊８，１４９７７６＊４）であってよく、及びＳ１の値は、１２＊Ｍ１であってよい。特に、Ｎ１＝１０１８４０、及びＮ２＝２０３７０４であるときに、Ｍ１＝６１１１１２、及びＳ１＝７４０２７５２であり、Ｎ１＝９７８９６、及びＮ２＝１９５８１６であるときに、Ｍ１＝５８７４４８、及びＳ１＝７１１４７５２であり、Ｎ１＝１０５５２８、及びＮ２＝２１１９３６であるときに、Ｍ１＝６３５８０８、及びＳ１＝７７０１１２０であり、又はＮ１＝９３８００、及びＮ２＝１８７７１２であるときに、Ｍ１＝５６３１３６、及びＳ１＝６８２０９９２である。この場合、カテゴリＣでＵＥが到達できるダウンリンクピーク速度は、約６００Ｍｂｐｓである。
【０１１５】
代替的に、Ｍ１の値は、ｍａｘ（８＊Ｎ１，４＊Ｎ２）であってよく、及びＳ１の値は、１２＊Ｍ１であってよい。特に、Ｎ１＝１０１８４０、及びＮ２＝２０３７０４であるときに、Ｍ１＝８１４８１６、及びＳ１＝９８７０３３６であり、Ｎ１＝９７８９６、及びＮ２＝１９５８１６であるときに、Ｍ１＝７８３２６４、及びＳ１＝９４８６３３６であり、Ｎ１＝１０５５２８、及びＮ２＝２１１９３６であるときに、Ｍ１＝８４７７４４、及びＳ１＝１０２６８１６０であり、又はＮ１＝９３８００、及びＮ２＝１８７７１２であるときに、Ｍ１＝７５０８４８、及びＳ１＝９０９４６５６である。この場合、カテゴリＣでＵＥが到達できるダウンリンクピーク速度は、約８００Ｍｂｐｓである。
【０１１６】
代替的に、Ｍ１の値は、ｍａｘ（１０＊Ｎ１，５＊Ｎ２）であってよく、及びＳ１の値は、１２＊Ｍ１であってよい。特に、Ｎ１＝１０１８４０、及びＮ２＝２０３７０４であるときに、Ｍ１＝１０１８５２０、及びＳ１＝１２３３７９２０であり、Ｎ１＝９７８９６、及びＮ２＝１９５８１６であるときに、Ｍ１＝９７９０８０、及びＳ１＝１１８５７９２０であり、Ｎ１＝１０５５２８、及びＮ２＝２１１９３６であるときに、Ｍ１＝１０５９６８０、及びＳ１＝１２８３５２００であり、又はＮ１＝９３８００、及びＮ２＝１８７７１２であるときに、Ｍ１＝９３８５６０、及びＳ１＝１１３６８３２０である。この場合、カテゴリＣでＵＥが到達できるダウンリンクピーク速度は、約１０００Ｍｂｐｓである。
【０１１７】
【表１７】
0006314238.tif 000026
【０１１８】
【表１８】
0006314238.tif 000027
【０１１９】
表５．２又は表５．３に従って、ＵＥカテゴリがカテゴリＣであるＵＥについて、１つのＴＴＩ内にＵＥによって受信され得るビットの最大数がＭ２であり、ソフトチャネル上で送信されるデータのビットの最大数はＳ２であることが決定され得る。ＵＥによってサポートされる、ダウンリンクにおける空間多重化に対する層の最大数が４である場合、基地局は、１つのＤＬ−ＳＣＨトランスポートブロックにおいて１つのＴＴＩ内にＵＥによって受信され得るビットの最大数がＮ２であると決定する。ＵＥによってサポートされる、ダウンリンクにおける空間多重化に対する層の最大数が２である場合、基地局は、１つのＤＬ−ＳＣＨトランスポートブロックにおいて１つのＴＴＩ内にＵＥによって受信され得るビットの最大数がＮ１であると決定する。
【０１２０】
Ｍ２及びＳ２の値を決定するための方法は、それぞれ、Ｍ１及びＳ１の値を決定するための方法と同じであり、詳細については、ここで再度説明しない。
【０１２１】
表５．２は、ＵＥによってサポートされる最高次変調方式がターゲット変調方式であるときのみ使用される。表５．３において、ＵＥによってサポートされる最高次変調方式がターゲット変調方式である（すなわち、表１の「ターゲット変調方式がサポートされている」）か、又はＵＥによってサポートされる最高次変調方式がターゲット変調方式でない（すなわち、表１の「ターゲット変調方式がサポートされていない」）かどうかに関係なく、ステップ２０３において決定されるダウンリンクパラメータは同じである。
【０１２２】
【表１９】
0006314238.tif 000028
【０１２３】
表５．４に従って、ＵＥカテゴリがカテゴリＣであるＵＥについて、１つのＴＴＩ内にＵＥによって受信され得るビットの最大数がＭ３であり、ソフトチャネル上で送信されるデータのビットの最大数はＳ３であることが決定され得る。ＵＥによってサポートされる、ダウンリンクにおける空間多重化に対する層の最大数が４である場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、基地局は、１つのＤＬ−ＳＣＨトランスポートブロックにおいて１つのＴＴＩ内にＵＥによって受信され得るビットの最大数が１４９７７６であると決定する。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、基地局は、１つのＤＬ−ＳＣＨトランスポートブロックにおいて１つのＴＴＩ内にＵＥによって受信され得るビットの最大数が７５３７６であると決定する。
【０１２４】
Ｍ３の値は、７５３７６＊８＝６０３００８とすることができ、及びＳ３の値は、７３０８２８８とすることができる。この場合、カテゴリＣでＵＥが到達できるダウンリンクピーク速度は、約６００Ｍｂｐｓである。代替的に、Ｍ３の値は、７５３７６＊１０＝７５３７６０であってよく、及びＳ３の値は、９１３５３６０である。この場合、カテゴリＣでＵＥが到達できるダウンリンクピーク速度は、約７５０Ｍｂｐｓである。代替的に、Ｍ３の値は、１４９７７６＊６＝８９８６５６であってよく、及びＳ３の値は、１０８８６４００である。この場合、カテゴリＣでＵＥが到達できるダウンリンクピーク速度は、約９００Ｍｂｐｓである。代替的に、Ｍ３の値は、１４９７７６＊８＝１１９８２０８であってよく、及びＳ３の値は、１４５１５２００である。この場合、カテゴリＣでＵＥが到達できるダウンリンクピーク速度は、約１２００Ｍｂｐｓである。代替的に、Ｍ３の値は、１４９７７６＊１０＝１４９７７６０であり、及びＳ３の値は、１８１４４０００であり、この場合、カテゴリＣでＵＥが到達できるダウンリンクピーク速度は、約１５００Ｍｂｐｓである。特に、Ｍ３及びＳ３は、ＵＥにより実行されるダウンリンク送信の特徴的なデータに従って異なる値に設定され得る。
【０１２５】
【表２０】
0006314238.tif 000029
【０１２６】
前述の表に従って、１つのＴＴＩ内にＵＥによって受信され得るビットの最大数がＭ４であり、ソフトチャネル上で送信されるデータのビットの最大数はＳ４であることが決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数がＮ２であると決定され得る。ＵＥによってサポートされる、ダウンリンクにおける空間多重化に対する層の最大数が４であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしている場合、１つのＤＬ−ＳＣＨトランスポートブロックにおいて１つのＴＴＩ内にＵＥによって受信され得るビットの最大数が１４９７７６であると決定され得る。ＵＥによってサポートされる、ダウンリンクにおける空間多重化に対する層の最大数が２であり、ＵＥが２５６ＱＡＭ又は次数が６４ＱＡＭよりも高い変調方式をサポートしていない場合、１つのＤＬ−ＳＣＨトランスポートブロックにおいて１つのＴＴＩ内にＵＥによって受信され得るビットの最大数が７５３７６であると決定され得る。
【０１２７】
【表２１】
0006314238.tif 000030
【０１２８】
表５．６に従って、ＵＥカテゴリがカテゴリＣであるＵＥについて、１つのＴＴＩ内にＵＥによって受信され得るビットの最大数がＭ４であり、ソフトチャネル上で送信されるデータのビットの最大数はＳ４であることが決定されるものとしてよく、並びに１つのＤＬ−ＳＣＨトランスポートブロックにおいて１つのＴＴＩ内にＵＥによって受信され得るビットの最大数はＮ３であることが決定される。
【０１２９】
適宜、Ｍ４及びＳ４の値を決定するための方法は、それぞれ、Ｍ１及びＳ１の値を決定するための方法と同じである、又はＭ４及びＳ４の値を決定するための方法は、それぞれ、Ｍ３及びＳ３の値を決定するための方法と同じである、又はＭ４及びＳ４の値は、表２から表４の中の対応する位置にある数値であるものとしてよい。詳細については、ここで再度説明しない。Ｎ３の値は、Ｎ２、Ｎ１、１４９７７６、又は７５３７６とすることができる。
【０１３０】
【表２２】
0006314238.tif 000031
【０１３１】
表５．７に従って、ＵＥカテゴリがカテゴリＣであるＵＥについて、１つのＴＴＩ内にＵＥによって受信され得るビットの最大数がＭ５であり、ソフトチャネル上で送信されるデータのビットの最大数はＳ５であることが決定されるものとしてよく、並びに１つのＤＬ−ＳＣＨトランスポートブロックにおいて１つのＴＴＩ内にＵＥによって受信され得るビットの最大数はＮ４であることが決定される。
【０１３２】
適宜、Ｍ５及びＳ５の値を決定するための方法は、それぞれ、Ｍ１及びＳ１の値を決定するための方法と同じである、又はＭ５及びＳ５の値を決定するための方法は、それぞれ、Ｍ３及びＳ３の値を決定するための方法と同じである、又はＭ５及びＳ５の値は、表２から表４の中の対応する位置にある数値であるものとしてよい。詳細については、ここで再度説明しない。Ｎ４の値は、Ｎ２、Ｎ１、１４９７７６、又は７５３７６とすることができる。
【０１３３】
【表２３】
0006314238.tif 000032
【０１３４】
【表２４】
0006314238.tif 000033
【０１３５】
表６及び表６．２に従って、ＵＥカテゴリがカテゴリＤであるＵＥについて、１つのＴＴＩ内にＵＥによって受信され得るビットの最大数がＭ６であり、ソフトチャネル上で送信されるデータのビットの最大数はＳ６であることが決定されるものとしてよく、並びに１つのＤＬ−ＳＣＨトランスポートブロックにおいて１つのＴＴＩ内にＵＥによって受信され得るビットの最大数はＮ５であることが決定される。
【０１３６】
Ｎ５は、５つの層を有し、２５６ＱＡＭでサポートされ得る最大ＴＢＳであってよい。Ｍ６＝１０＊Ｎ５であり、Ｓ６は約１２＊Ｍ６である。具体的な値は以下のものであってよい。Ｎ５＝４０３８９６、Ｍ６＝４０３８９６０、及びＳ６＝４８４６７５２０、Ｎ５＝４０５７２８、Ｍ６＝４０５７２８０、及びＳ６＝４８６８７３６０、Ｎ５＝３９１６５６、Ｍ６＝３９１６５６０、及びＳ６＝４６９９８７２０、Ｎ５＝４２２２５６、Ｍ６＝４２２２５６０、及びＳ６＝５０６７０７２０、Ｎ５＝３９７７７６、Ｍ６＝３９７７７６０、及びＳ６＝４７７３３１２０、又はＮ＝３７５４４８、Ｍ６＝３７５４４８０、及びＳ６＝４５０５３７６０。
【０１３７】
適宜、カテゴリＡ、カテゴリＢ、カテゴリＣ、及びカテゴリＤは、ＬＴＥ  Ｒｅｌ−１１よりも後のリリース（たとえば、ＬＴＥ  Ｒｅｌ−１２、ＬＴＥ  Ｒｅｌ−１３、及びＬＴＥ  Ｒｅｌ−１４などのリリース）で定義されているＵＥカテゴリであってよい。カテゴリＡ、カテゴリＢ、カテゴリＣ、及びカテゴリＤは、コード名にすぎず、これらはＬＴＥ  Ｒｅｌ−１１よりも後のリリース（たとえば、ＬＴＥ  Ｒｅｌ−１２、ＬＴＥ  Ｒｅｌ−１３、及びＬＴＥ  Ｒｅｌ−１４などのリリース）で定義されているＵＥカテゴリの名前に限定されない。
【０１３８】
適宜、カテゴリＡ、カテゴリＢ、カテゴリＣ、及びカテゴリＤは、リリースＬＴＥ  Ｒｅｌ−１０及びＬＴＥ  Ｒｅｌ−１１で定義されていないので、このようにして、ＵＥによって報告されるカテゴリ情報がカテゴリＡ、カテゴリＢ、又はカテゴリＣを含むときに、カテゴリ情報は、カテゴリ６又はカテゴリ７をさらに含むものとしてよく、並びにＵＥによって報告されるカテゴリ情報がカテゴリＤを含むときに、カテゴリ情報は、カテゴリ８をさらに含むものとしてよく、それにより、ＵＥのＵＥカテゴリは、ＬＴＥ  Ｒｅｌ−１０及びＬＴＥ  Ｒｅｌ−１１システムで識別されるものとしてよく、及びダウンリンクパラメータは、ＵＥについて決定される。すなわち、カテゴリ６若しくはカテゴリ７に対応するダウンリンクパラメータは、カテゴリＡ、カテゴリＢ、若しくはカテゴリＣに対応するダウンリンクパラメータとして使用され得る、又はカテゴリ８に対応するダウンリンクパラメータは、カテゴリＤに対応するダウンリンクパラメータとして使用され得る。
【０１３９】
適宜、カテゴリＡ、カテゴリＢ、カテゴリＣ、及びカテゴリＤは、リリースＬＴＥ  Ｒｅｌ−８及びＬＴＥ  Ｒｅｌ−９で定義されていないので、このようにして、ＵＥによって報告されるカテゴリ情報がカテゴリＡ、カテゴリＢ、又はカテゴリＣを含むときに、カテゴリ情報は、カテゴリ４をさらに含むものとしてよく、並びにＵＥによって報告されるカテゴリ情報がカテゴリＤを含むときに、カテゴリ情報は、カテゴリ５をさらに含むものとしてよく、それにより、ＵＥのＵＥカテゴリは、ＬＴＥ  Ｒｅｌ−８及びＬＴＥ  Ｒｅｌ−９システムで識別されるものとしてよく、及びダウンリンクパラメータは、ＵＥについて決定される。すなわち、カテゴリ４に対応するダウンリンクパラメータは、カテゴリＡ、カテゴリＢ、若しくはカテゴリＣに対応するダウンリンクパラメータとして使用され得る、又はカテゴリ５に対応するダウンリンクパラメータは、カテゴリＤに対応するダウンリンクパラメータとして使用され得る。
【０１４０】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含み得る。
【０１４１】
適宜、図３に示されているように、基地局は、
ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算するように構成された計算ユニット２４であって、ここで、ダウンリンク送信モードは、ＵＥによるダウンリンク送信が実行される送信モードを含む、計算ユニット２４をさらに備え得る。
【０１４２】
この実装方式において、ＤＬ−ＳＣＨトランスポートブロックのソフトバッファサイズが計算された後、対応するダウンリンク送信が、ＤＬ−ＳＣＨトランスポートブロックのソフトバッファサイズに従って実行され、それにより、ＤＬ−ＳＣＨトランスポートブロックで送信されるダウンリンクデータがソフトバッファサイズを超えたときに引き起こされるデータ喪失を回避することができる。それに加えて、この方法では、コードブロックのソフトバッファサイズがさらに決定され、それにより、コードブロックのソフトバッファサイズに従ってコードブロック上でビット収集を実行することができる。
【０１４３】
適宜、計算ユニット２４は、式
【数９】
0006314238.tif 000034
を使用することによってＤＬ−ＳＣＨトランスポートブロックのソフトバッファサイズを計算することができ、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは正実数であり、ＫＭＩＭＯは、１から２の値範囲内の自然数であり、ＭＤＬ＿ＨＡＲＱは最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【０１４４】
適宜、カテゴリ情報が１つ又は複数のＵＥカテゴリを表すときに、ステップ２０３で決定されたダウンリンクパラメータは、１つ又は複数のダウンリンクパラメータを含むものとしてよく、各ダウンリンクパラメータは、１つのソフトチャネル上で送信されるデータのビットの最大数を含む。このようにして、決定ユニット２３は、１つ又は複数のソフトチャネル上で送信されたデータのビットの最大数を決定することができる。カテゴリ情報が１つのＵＥカテゴリを表すときに、決定ユニット２３は、１つのソフトチャネル上でのみ送信されるデータのビットの最大数を決定し、ここで、Ｎｓｏｆｔは、ソフトチャネル上で送信されるデータのビットの最大数である。カテゴリ情報が複数のＵＥカテゴリを表すときに、決定ユニット２３は、ＵＥのＵＥカテゴリ及びダウンリンク送信モード及び／又はターゲット変調方式がダウンリンク送信においてサポートされているかどうかに従って複数のＵＥカテゴリから１つのＵＥカテゴリを決定するようにさらに構成されるものとしてよく、並びに決定ユニット２３は、決定されたＵＥカテゴリに従って、１つのソフトチャネル上で送信されるデータのビットの最大数をさらに決定し、ここで、Ｎｓｏｆｔは、ソフトチャネル上で送信されるデータのビットの最大数である。たとえば、ダウンリンク送信モードは、送信モード９又は送信モード１０であり、並びにＵＥによって報告されるＵＥカテゴリは、カテゴリ６、カテゴリ７、又はカテゴリ８を含み、それにより、カテゴリ６、カテゴリ７、又はカテゴリ８に対応する、ソフトチャネル上で送信されるデータのビットの最大数は、Ｎｓｏｆｔとして使用され得る。たとえば、ダウンリンク送信モードは、送信モード１１（ＬＴＥ  Ｒｅｌ−１２において新規導入された送信モード）であり、並びにＵＥによって報告されるＵＥカテゴリは、カテゴリＡ、カテゴリＢ、カテゴリＣ、又はカテゴリＤを含み、したがって、カテゴリＡ、カテゴリＢ、カテゴリＣ、又はカテゴリＤに対応する、ソフトチャネル上で送信されるデータのビットの最大数は、Ｎｓｏｆｔとして使用され得る。ターゲット変調方式は、ダウンリンク送信においてサポートされ、並びにＵＥによって報告されるＵＥカテゴリは、カテゴリＡ、カテゴリＢ、カテゴリＣ、又はカテゴリＤを含み、したがって、カテゴリＡ、カテゴリＢ、カテゴリＣ、又はカテゴリＤに対応する、ソフトチャネル上で送信されるデータのビットの最大数は、Ｎｓｏｆｔとして使用され得る。ダウンリンク送信モードが、送信モード１１（ＬＴＥ  Ｒｅｌ−１２において新規導入された送信モード）であり、並びにＵＥによって報告されるＵＥカテゴリが、カテゴリＡ、カテゴリＢ、カテゴリＣ、又はカテゴリＤを含まないときに、たとえば、ＵＥによって報告されるＵＥカテゴリは、カテゴリ１からカテゴリ５までのＵＥカテゴリを含み、カテゴリ１からカテゴリ５までのＵＥカテゴリに対応する、ソフトチャネル上で送信されるデータのビットの最大数は、Ｎｓｏｆｔとして使用され得る。たとえば、Ｎｓｏｆｔは、また、ダウンリンク送信モードに従って決定され得ない。たとえば、ＵＥによって報告されるＵＥカテゴリは、カテゴリＡ、カテゴリＢ、カテゴリＣ、又はカテゴリＤを��み、並びに、したがって、カテゴリＡ、カテゴリＢ、カテゴリＣ、又はカテゴリＤに対応する、ソフトチャネル上で送信されるデータのビットの最大数は、Ｎｓｏｆｔとして使用され得る。たとえば、ダウンリンク送信モードは、送信モード９又は１０であり、並びにＵＥによって報告されるＵＥカテゴリは、カテゴリ６、カテゴリ７、又はカテゴリ８を含み、したがって、カテゴリ６、カテゴリ７、又はカテゴリ８に対応する、ソフトチャネル上で送信されるデータのビットの最大数は、Ｎｓｏｆｔとして使用され得る。ＵＥによって報告されるＵＥカテゴリが、カテゴリＡ、カテゴリＢ、カテゴリＣ、カテゴリＤ、カテゴリ６、カテゴリ７、又はカテゴリ８を含まないときに、カテゴリ１からカテゴリ５までのＵＥカテゴリに対応する、ソフトチャネル上で送信されるデータのビットの最大数も、Ｎｓｏｆｔとして使用され得る。
【０１４５】
適宜、ターゲット変調方式が、ダウンリンク送信においてサポートされ、並びにＵＥによって報告されるＵＥカテゴリは、カテゴリＡ、カテゴリＢ、カテゴリＣ、又はカテゴリＤを含む場合に、したがって、カテゴリＡ、カテゴリＢ、カテゴリＣ、又はカテゴリＤに対応する、ソフトチャネル上で送信されるデータのビットの最大数は、Ｎｓｏｆｔとして使用され得る。そうでなければ、ダウンリンク送信モードは、送信モード９又は送信モード１０であり、並びにＵＥによって報告されるＵＥカテゴリは、カテゴリ６、カテゴリ７、又はカテゴリ８を含む場合、カテゴリ６、カテゴリ７、又はカテゴリ８に対応する、ソフトチャネル上で送信されるデータのビットの最大数は、Ｎｓｏｆｔとして使用され得る。そうでなければ、カテゴリ１からカテゴリ５までのＵＥカテゴリに対応する、ソフトチャネル上で送信されるデータのビットの最大数は、Ｎｓｏｆｔとして使用される。
【０１４６】
適宜、Ｎｓｏｆｔがカテゴリ１からカテゴリ５のＵＥカテゴリに対応する最大ソフトチャネルであるときに、Ｋｃ＝１と決定される。Ｎｓｏｆｔがカテゴリ６又はカテゴリ７に対応する最大ソフトチャネルであり、及びＵＥによってサポートされる、ダウンリンクにおける空間多重化に対する層の最大数が２であるときに、Ｋｃ＝２と決定される。ＵＥによってサポートされる、ダウンリンクにおける空間多重化に対する層の最大数が４である場合に、Ｋｃ＝１と決定される。Ｎｓｏｆｔがカテゴリ６又はカテゴリ７に対応する最大ソフトチャネルであり、及びＵＥによってサポートされる、ダウンリンクにおける空間多重化に対する層の最大数が４であるときに、Ｋｃ＝１と決定される。Ｎｓｏｆｔがカテゴリ８に対応する最大ソフトチャネルであるときに、Ｋｃ＝５と決定される。
【０１４７】
適宜、ＮｓｏｆｔがカテゴリＡに対応する最大ソフトチャネルであり、及びターゲット変調方式が、ＵＥにより実行されるダウンリンク送信において最高次変調方式として使用されるときに、Ｋｃ＝１と決定され得る。ＮｓｏｆｔがカテゴリＡに対応する最大ソフトチャネルであり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝２と決定され得る。ＮｓｏｆｔがカテゴリＡに対応する最大ソフトチャネルであり、及びＵＥによってサポートされる、ダウンリンクにおける空間多重化に対する層の最大数が４であるときに、Ｋｃ＝１と決定される。
【０１４８】
適宜、ＮｓｏｆｔがカテゴリＢに対応する最大ソフトチャネルであり、ターゲット変調方式が、ＵＥにより実行されるダウンリンク送信において最高次変調方式として使用され、及びＵＥによってサポートされる、ダウンリンクにおける空間多重化に対する層の最大数が４であるときに、Ｋｃ＝１と決定され得る。ＮｓｏｆｔがカテゴリＢに対応する最大ソフトチャネルであり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝２と決定され得る。ＮｓｏｆｔがカテゴリＢに対応する最大ソフトチャネルであり、ターゲット変調方式が、ＵＥにより実行されるダウンリンク送信において最高次変調方式として使用されず、及びＵＥによってサポートされる、ダウンリンクにおける空間多重化に対する層の最大数が４であるときに、Ｋｃ＝２と決定され得る。ＮｓｏｆｔがカテゴリＢに対応する最大ソフトチャネルであり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝３と決定され得る。
【０１４９】
適宜、ＮｓｏｆｔがカテゴリＣに対応する最大ソフトチャネルであり、Ｍ１、Ｍ２、及びＭ４の値がすべてｍａｘ（２＊Ｎ１，Ｎ２）であるときに、Ｋｃ＝１と決定されるものとしてよく、ＮｓｏｆｔがカテゴリＣに対応する最大ソフトチャネルであり、Ｍ１、Ｍ２、及びＭ４の値がｍａｘ（４＊Ｎ１，２＊Ｎ２）であり、及びＵＥによってサポートされる、ダウンリンクにおける空間多重化に対する層の最大数が４であるときに、Ｋｃ＝１と決定されるものとしてよく、ＮｓｏｆｔがカテゴリＣに対応する最大ソフトチャネルであり、Ｍ１、Ｍ２、及びＭ４の値がｍａｘ（４＊Ｎ１，２＊Ｎ２）であり、及びＵＥによってサポートされる、ダウンリンクにおける空間多重化に対する層の最大数が２であるときに、Ｋｃ＝２と決定されるものとしてよい。
【０１５０】
適宜、ＮｓｏｆｔがカテゴリＣに対応する最大ソフトチャネルであり、Ｍ１、Ｍ２、及びＭ４の値がｍａｘ（６＊Ｎ１，３＊Ｎ２，７５３７６＊８，１４９７７６＊４）であり、ターゲット変調方式が、ＵＥにより実行されるダウンリンク送信において最高次変調方式として使用され、及びＵＥによってサポートされる、ダウンリンクにおける空間多重化に対する層の最大数が４であるときに、Ｋｃ＝２又は１又は３／２と決定され得る（「／」は、除算記号を表し、３／２は１．５である）。ＮｓｏｆｔがカテゴリＣに対応する最大ソフトチャネルであり、Ｍ１、Ｍ２、及びＭ４の値がｍａｘ（６＊Ｎ１，３＊Ｎ２，７５３７６＊８，１４９７７６＊４）であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝３と決定され得る。ＮｓｏｆｔがカテゴリＣに対応する最大ソフトチャネルであり、Ｍ１、Ｍ２、及びＭ４の値がｍａｘ（６＊Ｎ１，３＊Ｎ２，７５３７６＊８，１４９７７６＊４）であり、ターゲット変調方式が、ＵＥにより実行されるダウンリンク送信において最高次変調方式として使用されず、及びＵＥによってサポートされる、ダウンリンクにおける空間多重化に対する層の最大数が４であるときに、Ｋｃ＝２と決定され得る。ＮｓｏｆｔがカテゴリＣに対応する最大ソフトチャネルであり、Ｍ１、Ｍ２、及びＭ４の値がｍａｘ（６＊Ｎ１，３＊Ｎ２，７５３７６＊８，１４９７７６＊４）であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝４と決定され得る。
【０１５１】
適宜、ＮｓｏｆｔがカテゴリＣに対応する最大ソフトチャネルであり、Ｍ１、Ｍ２、及びＭ４の値がｍａｘ（８＊Ｎ１，４＊Ｎ２）であり、ターゲット変調方式が、ＵＥにより実行されるダウンリンク送信において最高次変調方式として使用され、及びＵＥによってサポートされる、ダウンリンクにおける空間多重化に対する層の最大数が４であるときに、Ｋｃ＝２と決定され得る。ＮｓｏｆｔがカテゴリＣに対応する最大ソフトチャネルであり、Ｍ１、Ｍ２、及びＭ４の値がｍａｘ（８＊Ｎ１，４＊Ｎ２）であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝４と決定され得る。ＮｓｏｆｔがカテゴリＣに対応する最大ソフトチャネルであり、Ｍ１、Ｍ２、及びＭ４の値がｍａｘ（８＊Ｎ１，４＊Ｎ２）であり、ターゲット変調方式が、ＵＥにより実行されるダウンリンク送信において最高次変調方式として使用されず、及びＵＥによってサポートされる、ダウンリンクにおける空間多重化に対する層の最大数が４であるときに、Ｋｃ＝３又は２又は８／３と決定され得る。ＮｓｏｆｔがカテゴリＣに対応する最大ソフトチャネルであり、Ｍ１、Ｍ２、及びＭ４の値がｍａｘ（８＊Ｎ１，４＊Ｎ２）であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝５と決定され得る。
【０１５２】
適宜、ＮｓｏｆｔがカテゴリＣに対応する最大ソフトチャネルであり、Ｍ１、Ｍ２、及びＭ４の値がｍａｘ（１０＊Ｎ１，５＊Ｎ２）であり、ターゲット変調方式が、ＵＥにより実行されるダウンリンク送信において最高次変調方式として使用され、及びＵＥによってサポートされる、ダウンリンクにおける空間多重化に対する層の最大数が４であるときに、Ｋｃ＝２又は３又は５／２と決定され得る。ＮｓｏｆｔがカテゴリＣに対応する最大ソフトチャネルであり、Ｍ１、Ｍ２、及びＭ４の値がｍａｘ（１０＊Ｎ１，５＊Ｎ２）であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝５と決定され得る。ＮｓｏｆｔがカテゴリＣに対応する最大ソフトチャネルであり、Ｍ１、Ｍ２、及びＭ４の値がｍａｘ（１０＊Ｎ１，５＊Ｎ２）であり、ターゲット変調方式が、ＵＥにより実行されるダウンリンク送信において最高次変調方式として使用されず、及びＵＥによってサポートされる、ダウンリンクにおける空間多重化に対する層の最大数が４であるときに、Ｋｃ＝３又は４又は１０／３と決定され得る。ＮｓｏｆｔがカテゴリＣに対応する最大ソフトチャネルであり、Ｍ１、Ｍ２、及びＭ４の値がｍａｘ（１０＊Ｎ１，５＊Ｎ２）であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝５と決定され得る。
【０１５３】
適宜、ＮｓｏｆｔがカテゴリＣに対応する最大ソフトチャネルであり、Ｍ３及びＭ４の値が６０３００８であり、及びＵＥによってサポートされる、ダウンリンクにおける空間多重化に対する層の最大数が４であるときに、ターゲット変調方式が、ＵＥにより実行されるダウンリンク送信において最高次変調方式として使用されるかどうかに関係なく、Ｋｃ＝２又は３／２と決定され得る。ＮｓｏｆｔがカテゴリＣに対応する最大ソフトチャネルであり、Ｍ３及びＭ４の値が６０３００８であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝３と決定され得る。ＮｓｏｆｔがカテゴリＣに対応する最大ソフトチャネルであり、Ｍ３及びＭ４の値が６０３００８であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝４と決定され得る。
【０１５４】
適宜、ＮｓｏｆｔがカテゴリＣに対応する最大ソフトチャネルであり、Ｍ３及びＭ４の値が７５３７６０であり、及びＵＥによってサポートされる、ダウンリンクにおける空間多重化に対する層の最大数が４であるときに、ターゲット変調方式が、ＵＥにより実行されるダウンリンク送信において最高次変調方式として使用されるかどうかに関係なく、Ｋｃ＝２又は３又は５／２と決定され得る。ＮｓｏｆｔがカテゴリＣに対応する最大ソフトチャネルであり、Ｍ３及びＭ４の値が７５３７６０であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝３又は４又は１５／４と決定され得る。ＮｓｏｆｔがカテゴリＣに対応する最大ソフトチャネルであり、Ｍ３及びＭ４の値が７５３７６０であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝５と決定され得る。
【０１５５】
適宜、ＮｓｏｆｔがカテゴリＣに対応する最大ソフトチャネルであり、Ｍ３及びＭ４の値が８９８６５６であり、及びＵＥによってサポートされる、ダウンリンクにおける空間多重化に対する層の最大数が４であるときに、ターゲット変調方式が、ＵＥにより実行されるダウンリンク送信において最高次変調方式として使用されるかどうかに関係なく、Ｋｃ＝３又は２又は９／４と決定され得る。ＮｓｏｆｔがカテゴリＣに対応する最大ソフトチャネルであり、Ｍ３及びＭ４の値が８９８６５６であり、ターゲット変調方式が、ＵＥにより実行されるダウンリンク送信において最高次変調方式として使用され、及びＵＥによってサポートされる、ダウンリンクにおける空間多重化に対する層の最大数が２であるときに、Ｋｃ＝４又は５又は９／２と決定され得る。ＮｓｏｆｔがカテゴリＣに対応する最大ソフトチャネルであり、Ｍ３及びＭ４の値が８９８６５６であり、ターゲット変調方式が、ＵＥにより実行されるダウンリンク送信において最高次変調方式として使用されず、及びＵＥによってサポートされる、ダウンリンクにおける空間多重化に対する層の最大数が２であるときに、Ｋｃ＝５と決定され得る。
【０１５６】
適宜、ＮｓｏｆｔがカテゴリＣに対応する最大ソフトチャネルであり、Ｍ３及びＭ４の値が両方とも１１９８２０８であり、及びＵＥによってサポートされる、ダウンリンクにおける空間多重化に対する層の最大数が４であるときに、ターゲット変調方式が、ＵＥにより実行されるダウンリンク送信において最高次変調方式として使用されるかどうかに関係なく、Ｋｃ＝４又は３と決定され得る。ＮｓｏｆｔがカテゴリＣに対応する最大ソフトチャネルであり、Ｍ３及びＭ４の値が両方とも１１９８２０８であり、及びＵＥによってサポートされる、ダウンリンクにおける空間多重化に対する層の最大数が２であるときに、ターゲット変調方式が、ＵＥにより実行されるダウンリンク送信において最高次変調方式として使用されるかどうかに関係なく、Ｋｃ＝５と決定され得る。
【０１５７】
適宜、ＮｓｏｆｔがカテゴリＣに対応する最大ソフトチャネルであり、Ｍ３及びＭ４の値が１４９７７６０であるときに、Ｋｃ＝５と直接決定され得る。
【０１５８】
適宜、ＮｓｏｆｔがカテゴリＤに対応する最大ソフトチャネルであるときに、Ｋｃ＝５と直接決定され得る。
【０１５９】
適宜、上ではＫｃが１から５である例のみが取り上げられている。それに加えて、Ｋｃは、０から５の別の自然数、又は非整数であってもよい。
【０１６０】
適宜、Ｍｌｉｍｉｔは、事前定義された正実数、たとえば、Ｍｌｉｍｉｔ＝８であってよい。代替的に、ターゲット変調方式が、ＵＥにより実行されるダウンリンク送信において最高次変調方式として使用されるときに、Ｍｌｉｍｉｔは、８よりも小さい正実数であり、ターゲット変調方式が、ＵＥにより実行されるダウンリンク送信において最高次変調方式として使用されないときに、Ｍｌｉｍｉｔ＝８である。
【０１６１】
適宜、計算ユニット２４は、式
【数１０】
0006314238.tif 000035
を使用することによってＤＬ−ＳＣＨトランスポートブロックのソフトバッファサイズをさらに計算することができ、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。前述の式の中のパラメータに対して、上で説明されているパラメータが使用されるものとしてよく、ここで再度説明しない。
【０１６２】
適宜、基地局は、
第１の構成情報及び第２の構成情報をＵＥに送信するように構成された送信ユニット２５をさらに備えるものとしてよく、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＵＥは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算する。
【０１６３】
この実装方式において、ＵＥが、ＤＬ−ＳＣＨトランスポートブロックのソフトバッファサイズを計算することが実現され得る。それに加えて、ターゲット変調方式が、ＵＥによるダウンリンク送信時にサポートされているかどうかも、ＵＥによるダウンリンク送信時にターゲット変調方式をダウンリンクデータの変調方式として使用するかどうかであると理解され得る。
【０１６４】
適宜、基地局は、
ＵＥによって報告される、ターゲット変調方式がダウンリンク送信において使用されるときにＵＥによって受信され得るＲＢの、最大数を受信し、及びＵＥによってサポートされる最高次変調方式とＲＢの受信された最大数とに従って、ＵＥに割り振られたＲＢの数を決定し、それにより、ＵＥに割り振られるＲＢの数が受信された最大ＲＢ以下である、ように構成された第３の受信ユニット２６をさらに備え得る。
【０１６５】
この実装方式において、ＵＥによってサポートされる最高次変調方式は、ターゲット変調方式であってよく、ターゲット変調方式は、２５６ＱＡＭである。それに加えて、ＵＥに割り振られたＲＢの数は、ダウンリンクパラメータにおける、ＵＥによって受信され得るＲＢの最大数であってもよく、ここで、ダウンリンクパラメータにおける、ＵＥによって受信され得るＲＢの最大数は、ＵＥによって報告される、ターゲット変調方式がダウンリンク送信において使用されるときにＵＥによって受信され得るＲＢの最大数である。
【０１６６】
たとえば、ＵＥによって報告される、２５６ＱＡＭ変調方式がダウンリンク送信において使用されるときにＵＥによって受信され得るＲＢの最大数がＸであり、ここで、Ｘは１から１１０の整数であり、及びＵＥによって報告されるサポートされている最高次変調方式が２５６ＱＡＭである場合、基地局は、ＵＥに割り振られるＲＢの数ＹがＸ以下であると決定する。この方法では、ＵＥに割り振られるＲＢの数が大きすぎて、ＵＥの処理能力を超え、ＵＥの復調エラーを引き起こすことが防止され得る。
【０１６７】
適宜、基地局は、
ＵＥカテゴリ及び最高次変調方式からダウンリンクパラメータへの対応関係を確立し、その対応関係をＵＥに送信するように構成された確立ユニット２７、又は
ＵＥカテゴリ及び最高次変調方式からダウンリンクパラメータへの、ＵＥによって送信された、対応関係を受信するように構成された第４の受信ユニット２８をさらに備え得る。
【０１６８】
この実装方式で確立されるか、又は受信される対応関係は、決定ユニット２３によって使用される対応関係であり、及び対応関係は、表１から表６．２に記載の対応関係を特に含み得る。
【０１６９】
前述の技術的解決方法において、複数のオプションの実装方式が、上記の実施形態に基づき導入され、及びすべての実装方式において、ＵＥがより高次の変調方式をサポートした後に、より高次の変調方式の特徴がＵＥに対して導入され、それにより、スペクトル効率を改善できる、ことが実現され得る。
【０１７０】
図４を参照すると、図４は、本発明の一実施形態によるＵＥの概略構造図である。図４に示されているように、ＵＥは、取得ユニット４１と決定ユニット４２とを備える。
【０１７１】
取得ユニット４１は、ＵＥのカテゴリ情報及び変調情報を取得するように構成され、ここで、カテゴリ情報は、ＵＥのＵＥカテゴリを含み、及び変調情報は、ＵＥによってサポートされる最高次変調方式を含む。
【０１７２】
適宜、取得ユニット４１は、ＵＥのカテゴリ情報及び変調情報をローカルで取得し得る、又は取得ユニット４１は、計算若しくは識別の方式でＵＥのカテゴリ情報及び変調情報を取得する。
【０１７３】
決定ユニット４２は、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０１７４】
それに加えて、図５に示されているように、ＵＥは、
カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定する、ように構成された報告ユニット４３をさらに備えるものとしてよく、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０１７５】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含むものとしてよく、ここで、ターゲット変調方式は、２５６直交振幅変調ＱＡＭ又は次数が６４ＱＡＭよりも高い変調方式を含む。
【０１７６】
適宜、決定ユニット４２は、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するようにさらに構成されるものとしてよく、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【０１７７】
この実装方式において、取得ユニット４１は、ＵＥによってサポートされる、ダウンリンクにおける空間多重化に対する層の最大数をさらに取得し得る。
【０１７８】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るＲＢの最大数のうちの少なくとも１つを含み得る。
【０１７９】
ＵＥは、
基地局によって送信された第１の構成情報及び第２の構成情報を受信するように構成された第１の受信ユニット４４であって、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用される、第１の受信ユニット４４と、
ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算するように構成された計算ユニット４５であって、ここで、ダウンリンク送信モードは、基地局及びＵＥがダウンリンク送信を実行する送信モードを含み、ターゲット変調方式は、２５６直交振幅変調ＱＡＭ又は次数が６４ＱＡＭよりも高い変調方式を含む、計算ユニット４５とをさらに備え得る。
【０１８０】
適宜、計算ユニット４５は、式
【数１１】
0006314238.tif 000036
を使用することによってＤＬ−ＳＣＨトランスポートブロックのソフトバッファサイズを計算することができ、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクハイブリッド自動再送要求ＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、
又は
計算ユニット４５は、式
【数１２】
0006314238.tif 000037
を使用することによってＤＬ−ＳＣＨトランスポートブロックのソフトバッファサイズを計算することができ、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【０１８１】
適宜、ＫＣは、上位層のシグナリングを使用することによって基地局によって構成された１から５の受信された自然数、又は１から５の非整数であってもよい、確かに、ＫＣについては、図２に示されている実施形態においてＫＣを計算するための方式は、ＫＣを計算するためにさらに使用されるものとしてよく、ここで再度説明しない。
【０１８２】
適宜、ＵＥは、
ＵＥカテゴリ及び最高次変調方式からダウンリンクパラメータへの対応関係を確立し、その対応関係を基地局に送信するように構成された確立ユニット４６、又は
ＵＥカテゴリ及び最高次変調方式からダウンリンクパラメータへの、基地局によって送信された、対応関係を受信するように構成された第２の受信ユニット４７をさらに備え得る。
【０１８３】
この実装方式で確立されるか、又は受信される対応関係は、決定ユニット４２によって使用される対応関係であり、及び対応関係は、表１から表６．２に記載の対応関係を特に含み得る。
【０１８４】
前述の技術的解決方法では、ＵＥのカテゴリ情報及び変調情報が取得され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリ及びＵＥによってサポートされる最高次変調方式に対応するダウンリンクパラメータは、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、それにより、ＵＥの変調特徴は、ダウンリンク送信のプロセスにおいて完全に使用されることが実現され得る。それに加えて、ＵＥによってサポートされている最高次変調方式の特徴は、ダウンリンク送信で導入され得るので、ダウンリンク送信のスペクトル効率は改善され得る。
【０１８５】
図６を参照すると、図６は、本発明の一実施形態によりダウンリンクパラメータを決定するための装置の概略構造図である。図６に示されているように、装置は、受信機６１とプロセッサ６２とを備える。
【０１８６】
受信機６１は、ＵＥによって報告されるカテゴリ情報及び変調情報を受信するように構成され、ここで、カテゴリ情報は、ＵＥのＵＥカテゴリを含み、及び変調情報は、ＵＥによってサポートされる最高次変調方式を含む。
【０１８７】
プロセッサ６２は、ＵＥのダウンリンクパラメータとして、ＵＥのＵＥカテゴリ及びＵＥによってサポートされる最高次変調方式に対応するダウンリンクパラメータを決定するように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０１８８】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【０１８９】
適宜、受信機６１は、ＵＥによって報告され、及びＵＥによってサポートされている、ダウンリンクにおける空間多重化のための層の最大数を表すために使用される、層数情報を受信するようにさらに構成され得る。
【０１９０】
プロセッサ６２は、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するようにさらに構成されるものとしてよく、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【０１９１】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含み得る。
【０１９２】
適宜、プロセッサ６２は、ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算するようにさらに構成されるものとしてよく、ここで、ダウンリンク送信モードは、ＵＥによるダウンリンク送信が実行される送信モードを含む。
【０１９３】
適宜、プロセッサ６２は、式
【数１３】
0006314238.tif 000038
を使用することによってＤＬ−ＳＣＨトランスポートブロックのソフトバッファサイズを計算するようにさらに構成されるものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは正実数であり、ＫＭＩＭＯは、１から２の値範囲内の自然数であり、ＭＤＬ＿ＨＡＲＱは最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、
又は
プロセッサ６２は、式
【数１４】
0006314238.tif 000039
を使用することによってＤＬ−ＳＣＨトランスポートブロックのソフトバッファサイズを計算するようにさらに構成されるものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【０１９４】
適宜、装置は、送信機６３をさらに備え得る。
【０１９５】
送信機６３は、第１の構成情報及び第２の構成情報をＵＥに送信するように構成され、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＤＬ−ＳＣＨトランスポートブロックのソフトバッファサイズは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従って計算される。
【０１９６】
適宜、受信機６１は、ＵＥによって報告される、ターゲット変調方式がダウンリンク送信において使用されるときにＵＥによって受信され得るＲＢの、最大数を受信するようにさらに構成されるものとしてよく、並びに
プロセッサ６２は、ＵＥによってサポートされる最高次変調方式とＲＢの受信された最大数とに従って、ＵＥに割り振られたＲＢの数を決定し、それにより、ＵＥに割り振られるＲＢの数が受信された最大ＲＢ以下である、ようにさらに構成されるものとしてよい。
【０１９７】
適宜、プロセッサ６２は、ＵＥカテゴリ及び最高次変調方式からダウンリンクパラメータへの対応関係を確立するようにさらに構成されるものとしてよく、並びに
送信機６３は、その対応関係をＵＥに送信するようにさらに構成されるものとしてよい、又は
受信機６１は、ＵＥカテゴリ及び最高次変調方式からダウンリンクパラメータへの、ＵＥによって送信された、対応関係を受信するようにさらに構成されるものとしてよい。
【０１９８】
前述の技術的解決方法において、ＵＥによって報告されるカテゴリ情報及び変調情報が受信され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリ及びＵＥによってサポートされる最高次変調方式に対応するダウンリンクパラメータは、次いで、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、及びダウンリンク送信時により高次の変調方式が導入され、それにより、ＵＥの変調特徴がダウンリンク送信のプロセスにおいて完全に使用されることが実現されるものとしてよい。それに加えて、ＵＥによってサポートされている最高次変調方式の特徴は、ダウンリンク送信で導入され得るので、ダウンリンク送信のスペクトル効率は改善され得る。
【０１９９】
図７を参照すると、図７は、本発明の一実施形態によりダウンリンクパラメータを決定するための装置の概略構造図である。図７に示されているように、装置は、プロセッサ７１を備える。
【０２００】
プロセッサ７１は、ＵＥのカテゴリ情報及び変調情報を取得するように構成され、ここで、カテゴリ情報は、ＵＥのＵＥカテゴリを含み、及び変調情報は、ＵＥによってサポートされる最高次変調方式を含む。
【０２０１】
プロセッサ７１は、ＵＥのダウンリンクパラメータとして、ＵＥのＵＥカテゴリ及びＵＥによってサポートされる最高次変調方式に対応するダウンリンクパラメータを決定するようにさらに構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０２０２】
適宜、装置は、送信機７２をさらに備え得る。
【０２０３】
送信機７２は、カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定する、ように構成され、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０２０４】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含み、ここで、ターゲット変調方式は、２５６直交振幅変調ＱＡＭ又は次数が６４ＱＡＭよりも高い変調方式を含む。
【０２０５】
適宜、プロセッサ７１は、ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定するようにさらに構成されるものとしてよく、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【０２０６】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含み得る。
【０２０７】
適宜、装置は、送信機７３をさらに備えるものとしてよく、
受信機７３は、基地局によって送信された第１の構成情報及び第２の構成情報を受信するように構成され、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、
プロセッサ７１は、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算するようにさらに構成されるものとしてよく、ここで、ダウンリンク送信モードは、基地局及びＵＥがダウンリンク送信を実行する送信モードを含み、ターゲット変調方式は、２５６ＱＡＭ又は次数が６４ＱＡＭよりも高い変調方式を含む。
【０２０８】
適宜、プロセッサ７１は、式
【数１５】
0006314238.tif 000040
を使用することによってＤＬ−ＳＣＨトランスポートブロックのソフトバッファサイズを計算するようにさらに構成されるものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクハイブリッド自動再送要求ＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、
又は
プロセッサ７１は、式
【数１６】
0006314238.tif 000041
を使用することによってＤＬ−ＳＣＨトランスポートブロックのソフトバッファサイズを計算するようにさらに構成されるものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【０２０９】
適宜、プロセッサ７１は、ＵＥカテゴリ及び最高次変調方式からダウンリンクパラメータへの対応関係を確立するようにさらに構成されるものとしてよく、並びに
送信機７２は、その対応関係を基地局に送信するようにさらに構成されるものとしてよい、又は
受信機７３は、ＵＥカテゴリ及び最高次変調方式からダウンリンクパラメータへの、基地局によって送信された、対応関係を受信するようにさらに構成されるものとしてよい。
【０２１０】
前述の技術的解決方法において、ＵＥのカテゴリ情報及び変調情報が取得され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリ及びＵＥによってサポートされる最高次変調方式に対応するダウンリンクパラメータは、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、それにより、ＵＥの変調特徴は、ダウンリンク送信のプロセスにおいて完全に使用されることが実現され得る。それに加えて、ＵＥによってサポートされている最高次変調方式の特徴は、ダウンリンク送信で導入され得るので、ダウンリンク送信のスペクトル効率は改善され得る。
【０２１１】
図８を参照すると、図８は、本発明の一実施形態によりダウンリンクパラメータを決定するための方法の概略流れ図である。図８に示されているように、この方法は、以下を含む。
【０２１２】
８０１：ＵＥによって報告されるカテゴリ情報及び変調情報を受信する。ここで、カテゴリ情報は、ＵＥのＵＥカテゴリを含み、及び変調情報は、ＵＥによってサポートされる最高次変調方式を含む。
【０２１３】
適宜、ＵＥのＵＥカテゴリは、この実施形態において制限されない。たとえば、ＵＥのＵＥカテゴリは、ＬＴＥリリース１０システム（略してＬＴＥ  Ｒｅｌ−１０）において定義されている８つのＵＥカテゴリのうちのいずれか１つであってよい。それに加えて、８つのＵＥカテゴリとは別に、ＵＥのＵＥカテゴリは、ＬＴＥリリース１０システム（略してＬＴＥ  Ｒｅｌ−１０）と別のシステム（たとえば、ＬＴＥリリース１１システム、及びＬＴＥリリース１２システム）で定義されているＵＥカテゴリであってもよい。
【０２１４】
適宜、ＵＥによってサポートされる最高次変調方式は制限されない。たとえば、ＵＥによってサポートされる最高次変調方式は、６４ＱＡＭ、２５６ＱＡＭ、次数が６４ＱＡＭよりも高い変調方式、又は同様のものであってよい。
【０２１５】
８０２：ＵＥのダウンリンクパラメータとして、ＵＥのＵＥカテゴリ及びＵＥによってサポートされる最高次変調方式に対応するダウンリンクパラメータを決定する。ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０２１６】
適宜、対応関係は、複数のＵＥカテゴリの対応関係を含むものとしてよく、ここで、各ＵＥカテゴリの対応関係は、ＵＥカテゴリ及び少なくとも１つの最高次変調方式から少なくとも１つのダウンリンクパラメータへの対応関係である。たとえば、ＵＥカテゴリ１でサポートされている最高次変調方式は、６４ＱＡＭ及び２５６ＱＡＭを含むものとしてよく、この場合、対応関係は、ＵＥカテゴリ１及び６４ＱＡＭのサポートされている最高次変調方式からダウンリンクパラメータ１への対応関係を含み、ＵＥカテゴリ１及び２５６ＱＡＭのサポートされている最高次変調方式からダウンリンクパラメータ２への対応関係をさらに含むものとしてよい。このように、ＵＥのＵＥカテゴリがＵＥカテゴリ１であり、ＵＥによってサポートされている最高次変調方式が、２５６ＱＡＭであるときに、ステップ８０２において、ダウンリンクパラメータ２がＵＥのダウンリンクパラメータであると決定され得る。
【０２１７】
適宜、カテゴリ情報に含まれるＵＥカテゴリは、１つ又は複数のＵＥカテゴリであってよく、この場合、ステップ８０２において、ＵＥに対して、１つ又は複数のダウンリンクパラメータが決定されるものとしてよく、ここで、各ダウンリンクパラメータは、１つのＵＥカテゴリに対応する。
【０２１８】
適宜、この方法は、基地局に適用され得る、すなわち、基地局は、この方法を実装できる。
【０２１９】
前述の技術的解決方法では、ＵＥによって報告されるカテゴリ情報及び変調情報が受信され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリに対応するダウンリンクパラメータ及びＵＥによってサポートされる最高次変調方式は、次いで、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、及びダウンリンク送信時により高次の変調方式が導入され、それにより、ＵＥの変調特徴がダウンリンク送信のプロセスにおいて完全に使用されることが実現されるものとしてよい。それに加えて、ＵＥによってサポートされている最高次変調方式の特徴は、ダウンリンク送信で導入され得るので、ダウンリンク送信のスペクトル効率は改善され得る。
【０２２０】
図９を参照すると、図９は、本発明の一実施形態によりダウンリンクパラメータを決定するための別の方法の概略流れ図である。図９に示されているように、この方法は、以下を含む。
【０２２１】
９０１：ユーザ機器ＵＥによって報告されるカテゴリ情報及び変調情報を受信する。ここで、カテゴリ情報は、ＵＥのＵＥカテゴリを含み、及び変調情報は、ＵＥによってサポートされる最高次変調方式を含む。
【０２２２】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含むものとしてよく、ここで、ターゲット変調方式は、２５６ＱＡＭ又は次数が６４ＱＡＭよりも高い変調方式を含む。
【０２２３】
適宜、この実施形態では、情報が、ＵＥによってサポートされる最高次変調方式がターゲット変調方式でないことを表すときに、方法において、ＵＥによってサポートされる最高次変調方式は候補変調方式であることがさらに決定されるものとしてよく、ここで、候補変調方式は、変調次数がターゲット変調方式よりも低い変調方式である。たとえば、ターゲット変調方式は２５６ＱＡＭであり、候補変調方式は６４ＱＡＭであってよい。
【０２２４】
適宜、ダウンリンク変調方式の最高次変調次数は、サポートされている最高次変調方式と一対一対応関係にあるので、方法において、ＵＥによってサポートされている最高次変調方式は、変調情報がダウンリンク変調方式の最高次変調次数であるときに直接的に得られ得る。たとえば、ダウンリンク変調方式の最高次変調次数が８のときに、ＵＥによってサポートされている最高次変調方式は、２５６ＱＡＭであり、ダウンリンク変調方式の最高次変調次数が６のときに、ＵＥによってサポートされている最高次変調方式は、６４ＱＡＭである。
【０２２５】
９０２：ＵＥによって報告され、及びＵＥによってサポートされている、ダウンリンクにおける空間多重化のための層の最大数を表すために使用される、層数情報を受信する。
【０２２６】
適宜、層数情報は、ＵＥによって積極的に報告され得る、又はＵＥが要求メッセージを受信した後に、層数情報は、その要求メッセージに従って報告され得る。
【０２２７】
適宜、ステップ９０１及びステップ９０２を実行する時間系列は、制限されない。
【０２２８】
９０３：ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定する。ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される。
【０２２９】
適宜、対応関係は、表の形で表されるものとしてよく、このようにして、ＵＥのＵＥカテゴリ、ＵＥによってサポートされる最高次変調方式、及びＵＥによってサポートされる、ダウンリンクにおける空間多重化に対する層の、最大数が決定されるときに、ダウンリンクパラメータは、この表から直接見つけることができる。
【０２３０】
適宜、対応関係は、表１から表６．２に記載の対応関係を含み得る。
【０２３１】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含み得る。図１０に示されているように、方法は、以下をさらに含み得る。
【０２３２】
９０４：ＵＥのＵＥカテゴリ、ダウンリンク送信モード、及びソフトチャネル上で送信されるデータのビットの最大数に従ってＤＬ−ＳＣＨトランスポートブロックのソフトバッファサイズを計算する。ここで、ダウンリンク送信モードは、ＵＥによるダウンリンク送信が実行される送信モードを含む。
【０２３３】
この実装方式において、ＤＬ−ＳＣＨトランスポートブロックのソフトバッファサイズが計算された後、対応するダウンリンク送信が、ＤＬ−ＳＣＨトランスポートブロックのソフトバッファサイズに従って実行され、それにより、ＤＬ−ＳＣＨトランスポートブロックで送信されるダウンリンクデータがソフトバッファサイズを超えたときに引き起こされるデータ喪失を回避することができる。それに加えて、この方法では、コードブロックのソフトバッファサイズがさらに決定され、それにより、コードブロックのソフトバッファサイズに従ってコードブロック上でビット収集を実行することができる。
【０２３４】
適宜、ステップ９０４は、
式
【数１７】
0006314238.tif 000042
を使用することによってＤＬ−ＳＣＨトランスポートブロックのソフトバッファサイズを計算することを含むものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは正実数であり、ＫＭＩＭＯは、１から２の値範囲内の自然数であり、ＭＤＬ＿ＨＡＲＱは最大ダウンリンクハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。
【０２３５】
適宜、カテゴリ情報が１つ又は複数のＵＥカテゴリを表すときに、ステップ９０３で決定されたダウンリンクパラメータは、１つ又は複数のダウンリンクパラメータを含むものとしてよく、各ダウンリンクパラメータは、１つのソフトチャネル上で送信されるデータのビットの最大数を含み、このようにして、ステップ９０３で、１つ又は複数のソフトチャネル上で送信されたデータのビットの最大数が決定され得る。カテゴリ情報が１つのＵＥカテゴリを表すときに、ステップ９０３で、１つのソフトチャネル上でのみ送信されるデータのビットの最大数が決定され、及び、Ｎｓｏｆｔは、ソフトチャネル上で送信されるデータのビットの最大数である。カテゴリ情報が複数のＵＥカテゴリを表すときに、ステップ９０３の前に、この方法は、ＵＥのＵＥカテゴリ及びダウンリンク送信モード及び／又はターゲット変調方式がダウンリンク送信においてサポートされているかどうかに従って複数のＵＥカテゴリから１つのＵＥカテゴリを決定し、それにより、ステップ９０３に従って及び決定されたＵＥカテゴリに従って、１つのソフトチャネル上で送信されるデータのビットの最大数をさらに決定することをさらに含み、ここで、Ｎｓｏｆｔは、ソフトチャネル上で送信されるデータのビットの最大数である。
【０２３６】
適宜、ステップ９０４は、
式
【数１８】
0006314238.tif 000043
を使用することによってＤＬ−ＳＣＨトランスポートブロックのソフトバッファサイズを計算することをさらに含むものとしてよく、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す。前述の式の中のパラメータに対して、上で説明されているパラメータが使用されるものとしてよく、ここで再度説明しない。
【０２３７】
適宜、ステップ９０３の後に、この方法は、以下をさらに含み得る。
【０２３８】
９０５：第１の構成情報及び第２の構成情報をＵＥに送信する。ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用され、それにより、ＤＬ−ＳＣＨトランスポートブロックのソフトバッファサイズは、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従って計算される。
【０２３９】
この実装方式において、ＵＥが、ＤＬ−ＳＣＨトランスポートブロックのソフトバッファサイズを計算することが実現され得る。
【０２４０】
適宜、この方法は、
ＵＥカテゴリ及び最高次変調方式からダウンリンクパラメータへの対応関係を確立し、その対応関係をＵＥに送信すること、又は
ＵＥカテゴリ及び最高次変調方式からダウンリンクパラメータへの、ＵＥによって送信された、対応関係を受信することをさらに含み得る。
【０２４１】
この実装方式で確立されるか、又は受信される対応関係は、ステップ９０３で使用される対応関係であり、及び対応関係は、表１から表６．２に記載の対応関係を特に含み得る。
【０２４２】
この方法は、
ＵＥによって報告される、ターゲット変調方式がダウンリンク送信において使用されるときにＵＥによって受信され得るＲＢの、最大数を受信することと、及びＵＥによってサポートされる最高次変調方式とＲＢの受信された最大数とに従って、ＵＥに割り振られたＲＢの数を決定し、それにより、ＵＥに割り振られるＲＢの数が受信された最大ＲＢ以下である、こととをさらに含み得る。
【０２４３】
この実装方式において、ＵＥによってサポートされる最高次変調方式は、ターゲット変調方式であってよく、ターゲット変調方式は、２５６ＱＡＭである。それに加えて、ＵＥに割り振られたＲＢの数は、ダウンリンクパラメータにおける、ＵＥによって受信され得るＲＢの最大数であってもよく、ここで、ダウンリンクパラメータにおける、ＵＥによって受信され得るＲＢの最大数は、ＵＥによって報告される、ターゲット変調方式がダウンリンク送信において使用されるときにＵＥによって受信され得るＲＢの最大数である。
【０２４４】
たとえば、ＵＥによって報告される、２５６ＱＡＭ変調方式がダウンリンク送信において使用されるときにＵＥによって受信され得るＲＢの最大数がＸであり、ここで、Ｘは１から１１０の整数であり、及びＵＥによって報告されるサポートされている最高次変調方式が２５６ＱＡＭである場合、基地局は、ＵＥに割り振られるＲＢの数ＹがＸ以下であると決定する。この方法では、ＵＥに割り振られるＲＢの数が大きすぎて、ＵＥの処理能力を超え、ＵＥの復調エラーを引き起こすことが防止され得る。
【０２４５】
この実施形態における方法は、基地局に適用され得る、すなわち、基地局は、この方法を実装できる。
【０２４６】
前述の技術的解決方法において、複数のオプションの実装方式が、第１の方法実施形態に基づき導入され、及びすべての実装方式において、ＵＥがより高次の変調方式をサポートした後に、より高次の変調方式の特徴がＵＥに対して導入され、それにより、スペクトル効率を改善できる、ことが実現され得る。
【０２４７】
図１１を参照すると、図１１は、本発明の一実施形態によりダウンリンクパラメータを決定するための別の方法の概略流れ図である。図１１に示されているように、この方法は、以下を含む。
【０２４８】
１１０１：ユーザ機器ＵＥのカテゴリ情報及び変調情報を取得する。ここで、カテゴリ情報は、ＵＥのＵＥカテゴリを含み、及び変調情報は、ＵＥによってサポートされる最高次変調方式を含む。
【０２４９】
１１０２：ＵＥのダウンリンクパラメータとして、ＵＥのＵＥカテゴリ及びＵＥによってサポートされる最高次変調方式に対応するダウンリンクパラメータを決定する。ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０２５０】
それに加えて、この方法は、
カテゴリ情報及び変調情報を基地局に報告し、それにより基地局は、ＵＥのダウンリンクパラメータとして、ＵＥのＵＥカテゴリ及びＵＥによってサポートされる最高次変調方式に対応するダウンリンクパラメータを決定し、ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される、ことをさらに含み得る。
【０２５１】
適宜、変調情報は、
ＵＥによってサポートされる最高次変調方式が、ターゲット変調方式であるかどうかを表すために使用される情報、及びダウンリンク変調方式の最高次変調次数のうちの少なくとも１つを含むものとしてよく、ここで、ターゲット変調方式は、２５６直交振幅変調ＱＡＭ又は次数が６４ＱＡＭよりも高い変調方式を含む。
【０２５２】
適宜、ステップ１１０２は、
ＵＥのダウンリンクパラメータとして、ＵＥのパラメータであり、及びＵＥのＵＥカテゴリに対応するダウンリンクパラメータ、ＵＥによってサポートされる最高次変調方式、及びＵＥによってサポートされる、ダウンリンクにおける空間多重化のための層の最大数を決定し、ここで、ＵＥのダウンリンクパラメータは、ＵＥのＵＥカテゴリ、ＵＥによってサポートされる最高次変調方式、及びＵＥによってサポートされる、ダウンリンクにおける空間多重化のための層の最大数からＵＥのダウンリンクパラメータさらにはＵＥのＵＥカテゴリ、ＵＥによってサポートされる最高次変調方式、及びＵＥによってサポートされる、ダウンリンクにおける空間多重化のための層の最大数への対応関係に従って決定される、ことを含み得る。
【０２５３】
この実装方式において、方法では、ＵＥによってサポートされる、ダウンリンクにおける空間多重化に対する層の最大数がさらに取得され得る。
【０２５４】
適宜、ダウンリンクパラメータは、
１つの送信時間間隔ＴＴＩ内にＵＥによって受信され得るビットの最大数であって、ここで、ビットの数は、ダウンリンク共有チャネルＤＬ−ＳＣＨトランスポートブロックで送信されるデータのビットの数である、ビットの最大数、１つのＤＬ−ＳＣＨトランスポートブロックで送信されるデータの、１つのＴＴＩ内にＵＥによって受信され得る、ビットの最大数、ソフトチャネル上で送信されるデータのビットの最大数、及びＵＥによって受信され得るリソースブロックＲＢの最大数のうちの少なくとも１つを含み得る。
【０２５５】
カテゴリ情報及び変調情報を基地局に報告することの後に、この方法は、
基地局によって送信された第１の構成情報及び第２の構成情報を受信し、ここで、第１の構成情報は、ダウンリンク送信モードを指示するために使用され、及び第２の構成情報は、ダウンリンク送信がＵＥにより実行されるときにターゲット変調方式がサポートされているかどうかを指示するために使用される、ことと、
ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算し、ここで、ダウンリンク送信モードは、基地局及びＵＥがダウンリンク送信を実行する送信モードを含み、ターゲット変調方式は、２５６ＱＡＭ又は次数が６４ＱＡＭよりも高い変調方式を含む、こととをさらに含み得る。
【０２５６】
適宜、ＵＥのＵＥカテゴリ、ダウンリンク送信モード、ソフトチャネル上で送信されるデータのビットの最大数、及びダウンリンク送信がＵＥにより実行されるときにターゲット変調方式がサポートされているかどうかに従ってＤＬ−ＳＣＨトランスポートブロックのソフトバッファサイズを計算することは、
式
【数１９】
0006314238.tif 000044
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクハイブリッド自動再送要求ＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、こと
又は
式
【数２０】
0006314238.tif 000045
を使用することによってＤＬ−ＳＣＨトランスポートブロックのソフトバッファサイズを計算し、
ここで、ＮＩＲはＤＬ−ＳＣＨトランスポートブロックのソフトバッファサイズを表し、Ｎｓｏｆｔは、ＵＥのＵＥカテゴリ及びダウンリンク送信モードに従って、ソフトチャネル上で送信されるデータのビットの最大数から決定されるソフトチャネルビットの数であり、αは事前定義された正実数であり、ＫＣは基地局とＵＥとによって実行されるダウンリンク送信でターゲット変調方式がサポートされているかどうかに従って決定される正実数であり、ＫＭＩＭＯは、１から２の値範囲内の自然数であり、ＭＤＬ＿ＨＡＲＱは最大ダウンリンクＨＡＲＱ処理番号であり、Ｍｌｉｍｉｔは事前定義された正実数であり、及びｍｉｎ（ＭＤＬ＿ＨＡＲＱ，Ｍｌｉｍｉｔ）はＭＤＬ＿ＨＡＲＱとＭｌｉｍｉｔのうちの小さい方の値を取ることを表す、ことを含む。
【０２５７】
適宜、ＫＣは、上位層のシグナリングを使用することによって基地局によって構成された１から５の受信された自然数、又は１から５の非整数であってもよい。確かに、ＫＣについては、図２及び図３に示されている実施形態においてＫＣを計算するための方式は、ＫＣを計算するためにさらに使用されるものとしてよく、ここで再度説明しない。
【０２５８】
適宜、この方法は、
ＵＥカテゴリ及び最高次変調方式からダウンリンクパラメータへの対応関係を確立し、その対応関係を基地局に送信すること、又は
ＵＥカテゴリ及び最高次変調方式からダウンリンクパラメータへの、基地局によって送信された、対応関係を受信することをさらに含み得る。
【０２５９】
この実装方式で確立されるか、又は受信される対応関係は、ステップ４０２で使用される対応関係であり、及び対応関係は、表１から表６．２に記載の対応関係を特に含み得る。
【０２６０】
この実施形態では、実装ステップにおけるすべてのパラメータ又は実装方式について、図１から図３に示されている実施形態におけるパラメータ又は実装方式を参照しており、パラメータ又は実装方式は、ここで再度説明しないことに留意されたい。
【０２６１】
適宜、方法は、ＵＥによって実装され得る、すなわち、ＵＥがこの方法を実装し得る。
【０２６２】
前述の技術的解決方法において、ユーザ機器ＵＥのカテゴリ情報及び変調情報が取得され、ここで、カテゴリ情報は、ＵＥのＵＥカテゴリを含み、及び変調情報は、ＵＥによってサポートされる最高次変調方式を含み、並びにＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って、ＵＥのＵＥカテゴリに対応するダウンリンクパラメータ及びＵＥによってサポートされる最高次変調方式は、ＵＥのダウンリンクパラメータとして決定される。このようにして、ＵＥがより高次の変調方式をサポートした後、ＵＥのダウンリンクパラメータは、より高次の変調方式に従って決定され得ることが実現されるものとしてよく、それにより、ＵＥの変調特徴は、ダウンリンク送信のプロセスにおいて完全に使用されることが実現され得る。それに加えて、ＵＥによってサポートされている最高次変調方式の特徴は、ダウンリンク送信で導入され得るので、ダウンリンク送信のスペクトル効率は改善され得る。
【０２６３】
図１２を参照すると、図１２は、本発明の一実施形態によりダウンリンクパラメータを決定するための別の方法の概略図である。図１２に示されているように、この方法は、以下を含む。
【０２６４】
１２０１：ＵＥは、カテゴリ情報及び変調情報を基地局に報告する。ここで、カテゴリ情報は、ＵＥのＵＥカテゴリを含み、及び変調情報は、ＵＥによってサポートされる最高次変調方式を含む。
【０２６５】
１２０２：基地局は、ＵＥのダウンリンクパラメータとして、ＵＥのＵＥカテゴリ及びＵＥによってサポートされる最高次変調方式に対応するダウンリンクパラメータを決定する。ここで、ＵＥのダウンリンクパラメータは、ＵＥのＵＥカテゴリ及びＵＥによってサポートされる最高次変調方式からＵＥのダウンリンクパラメータさらにはＵＥのＵＥカテゴリ及びＵＥによってサポートされる最高次変調方式への対応関係に従って決定される。
【０２６６】
前述の技術的解決方法において、ＵＥがより高次の変調方式をサポートした後、ＵＥのダウンリンクパラメータは、より高次の変調方式に従って決定され得ることが実現されるものとしてよく、それにより、ＵＥの変調特徴は、ダウンリンク送信のプロセスにおいて完全に使用されることが実現され得る。それに加えて、ＵＥによってサポートされている最高次変調方式の特徴は、ダウンリンク送信で導入され得るので、ダウンリンク送信のスペクトル効率は改善され得る。
【０２６７】
当業者であれば、これらの実施形態における方法のプロセスの全部又は一部が関連するハードウェアに命令を送るコンピュータプログラムによって実装され得ることを理解できる。プログラムは、コンピュータ可読記憶媒体に記憶され得る。プログラムが実行されると、実施形態における方法のプロセスが実行される。前述の記憶媒体は、磁気ディスク、光ディスク、リードオンリーメモリ（Ｒｅａｄ−Ｏｎｌｙ  Ｍｅｍｏｒｙ，ＲＯＭ）、又はランダムアクセスメモリ（Ｒａｎｄｏｍ  Ａｃｃｅｓｓ  Ｍｅｍｏｒｙ，略してＲＡＭ）、又は同様のものを含み得る。
【０２６８】
上で開示されている内容は、本発明の単に例示的な実施形態にすぎず、及び確かに、本発明の保護範囲を制限することを意図されていない。したがって、本発明の請求項に従ってなされる同等の変更は、本発明の範囲内に収まるであろう。
【図１】
0006314238.tif 000050
【図２】
0006314238.tif 000051
【図３】
0006314238.tif 000052
【図４】
0006314238.tif 000053
【図５】
0006314238.tif 000054
【図６】
0006314238.tif 000055
【図７】
0006314238.tif 000056
【図８】
0006314238.tif 000057
【図９】
0006314238.tif 000058
【図１０】
0006314238.tif 000059
【図１１】
0006314238.tif 000060
【図１２】
0006314238.tif 000061